(57)【要約】【課題】保持部に光学素子を精度よく備えさせる。【解決手段】光学素子の取付構造であって、光学素子と、光学素子を装備させるときに用いられる弾性部材３０と、光学素子および弾性部材３０が装備される保持部と、を備え、保持部に弾性部材３０が圧入されると共に、弾性部材３０により保持部に光学素子が備えられた。光学素子を保持部に位置合せさせつつ装備させるときに用いられる弾性部材３０であって、弾性部材基板部３３に保持部に対して位置決め固定させる圧入固定部３６，３７が備えられた。弾性部材基板部３３は、略板状に形成され、圧入固定部３６，３７は、弾性部材基板部３３の正面視左右両側部３３Ｌ，３３Ｒに突出された突出部３６，３７とされた。圧入固定部３６，３７は、保持部に対して弾性部材基板部３３を着脱自在に装備可能とさせる傾斜面部３６ａ，３６ｂ，３７ａ，３７ｂを有する。【選択図】第３図
2011040573.tif 000002
【特許請求の範囲】
【請求項１】
光学素子の取付構造であって、
光学素子と、
前記光学素子を装備させるときに用いられる弾性部材と、
前記光学素子および前記弾性部材が装備される保持部と、
を備え、
前記保持部に前記弾性部材が圧入されると共に、前記弾性部材により前記保持部に前記光学素子が備えられた
ことを特徴とする。
【請求項２】
請求項１に記載の光学素子の取付構造であって、
前記光学素子は、光が透過可能な正面視略矩形板状に形成され、
前記光学素子に対応して、前記弾性部材は、光が通過可能な正面視略凹状に形成された
ことを特徴とする。
【請求項３】
請求項１又は２に記載の光学素子の取付構造であって、
前記保持部は、樹脂が用いられて形成され、
前記弾性部材は、金属が用いられて形成された
ことを特徴とする。
【請求項４】
請求項１〜３の何れか１項に記載の光学素子の取付構造であって、
前記光学素子は、入射された光を複数に分ける回折格子とされた
ことを特徴とする。
【請求項５】
光学素子を保持部に位置合せさせつつ装備させるときに用いられる弾性部材であって、
弾性部材基板部に前記保持部に対して位置決め固定させる圧入固定部が備えられた
ことを特徴とする。
【請求項６】
請求項５に記載の弾性部材であって、
前記弾性部材基板部は、略板状に形成され、
前記圧入固定部は、前記弾性部材基板部の正面視左右両側部に突出された突出部とされた
ことを特徴とする。
【請求項７】
請求項５又は６に記載の弾性部材であって、
前記圧入固定部は、前記保持部に対して前記弾性部材基板部を着脱自在に装備可能とさせる傾斜面部を有する
ことを特徴とする。
【請求項８】
請求項５〜７の何れか１項に記載の弾性部材であって、
前記光学素子および前記保持部に対して復元弾性力を発生させる当接力発生部が前記弾性部材基板部に延設された
ことを特徴とする。
【請求項９】
請求項８に記載の弾性部材であって、
前記弾性部材基板部に対し前記当接力発生部が折り返された
ことを特徴とする。
【請求項１０】
請求項１〜４の何れか１項に記載の光学素子の取付構造であって、
前記弾性部材として、請求項５〜９の何れか１項に記載の弾性部材が用いられた
ことを特徴とする。
【請求項１１】
ピックアップ装置であって、
請求項１〜４又は１０の何れか１項に記載の光学素子の取付構造を有する
ことを特徴とする。
【発明の詳細な説明】
【技術分野】
【０００１】
本発明は、弾性部材、光学素子の取付構造、並びに、それを備えるピックアップ装置に関するものである。
【背景技術】
【０００２】
ディスク装置のピックアップ装置が用いられて、ディスクのデータが読み出される。また、ディスク装置が用いられて、ディスクにデータが記録される。ディスクとして、例えば、「ＣＤ」（Ｃｏｍｐａｃｔ  Ｄｉｓｃ）（商標）、「ＤＶＤ」（登録商標）（Ｄｉｇｉｔａｌ  Ｖｅｒｓａｔｉｌｅ  Ｄｉｓｃ）等が挙げられる。【０００３】
光ディスク装置ならびに光ピックアップ装置に関するものとして、例えば、組み付け調整が容易とされ且つ３ビーム法における問題点を解消可能とさせたトラッキング方式が得られる共に、磁界変調オーバーライトによる高速転送化や超解像による大容量化が可能とされた光情報記録再生装置というものがある（例えば特許文献１参照）。
【先行技術文献】
【特許文献】
【０００４】
【特許文献１】特開平５−１３５３８２号公報（第１，３頁、第１−６図）
【発明の概要】
【発明が解決しようとする課題】
【０００５】
しかしながら、上記従来の光ピックアップ装置にあっては、回折格子などの回折素子に例えば位置ずれが生じたときに、光ピックアップ装置がもつ所望の性能が発揮され難いということが問題とされていた。
【課題を解決するための手段】
【０００６】
上記課題を解決するために、本発明の請求項１に係る光学素子の取付構造は、光学素子と、前記光学素子を装備させるときに用いられる弾性部材と、前記光学素子および前記弾性部材が装備される保持部と、を備え、前記保持部に前記弾性部材が圧入されると共に、前記弾性部材により前記保持部に前記光学素子が備えられたことを特徴とする。【０００７】
請求項２に係る光学素子の取付構造は、請求項１に記載の光学素子の取付構造であって、前記光学素子は、光が透過可能な正面視略矩形板状に形成され、前記光学素子に対応して、前記弾性部材は、光が通過可能な正面視略凹状に形成されたことを特徴とする。【０００８】
請求項３に係る光学素子の取付構造は、請求項１又は２に記載の光学素子の取付構造であって、前記保持部は、樹脂が用いられて形成され、前記弾性部材は、金属が用いられて形成されたことを特徴とする。【０００９】
請求項４に係る光学素子の取付構造は、請求項１〜３の何れか１項に記載の光学素子の取付構造であって、前記光学素子は、入射された光を複数に分ける回折格子とされたことを特徴とする。【００１０】
請求項５に係る弾性部材は、光学素子を保持部に位置合せさせつつ装備させるときに用いられる弾性部材であって、弾性部材基板部に前記保持部に対して位置決め固定させる圧入固定部が備えられたことを特徴とする。【００１１】
請求項６に係る弾性部材は、請求項５に記載の弾性部材であって、前記弾性部材基板部は、略板状に形成され、前記圧入固定部は、前記弾性部材基板部の正面視左右両側部に突出された突出部とされたことを特徴とする。【００１２】
請求項７に係る弾性部材は、請求項５又は６に記載の弾性部材であって、前記圧入固定部は、前記保持部に対して前記弾性部材基板部を着脱自在に装備可能とさせる傾斜面部を有することを特徴とする。【００１３】
請求項８に係る弾性部材は、請求項５〜７の何れか１項に記載の弾性部材であって、前記光学素子および前記保持部に対して復元弾性力を発生させる当接力発生部が前記弾性部材基板部に延設されたことを特徴とする。【００１４】
請求項９に係る弾性部材は、請求項８に記載の弾性部材であって、前記弾性部材基板部に対し前記当接力発生部が折り返されたことを特徴とする。【００１５】
請求項１０に係る光学素子の取付構造は、請求項１〜４の何れか１項に記載の光学素子の取付構造であって、前記弾性部材として、請求項５〜９の何れか１項に記載の弾性部材が用いられたことを特徴とする。【００１６】
請求項１１に係るピックアップ装置は、請求項１〜４又は１０の何れか１項に記載の光学素子の取付構造を有することを特徴とする。
【発明の効果】
【００１７】
本発明によれば、保持部に光学素子が装備されるときに、光学素子は、保持部に共に装備された弾性部材により保持部に備えられる。保持部に弾性部材が圧入されるので、例えば保持部に弾性部材と共に装備された光学素子の取付位置が調整されるときに、弾性部材が不用意にずらされ、これに伴って例えば光学素子の位置調整が不正確に行われるということは回避される。従って、保持部に光学素子を精度よく備えさせることができる。【００１８】
また、本発明によれば、保持部に光学素子が位置合せされつつ装備されるときに、光学素子は、保持部に装備された弾性部材により保持部に備えられる。また、弾性部材基板部に保持部に対して位置決め固定させる圧入固定部が備えられているので、例えば保持部に弾性部材と共に装備された光学素子の取付位置が調整されるときに、弾性部材が不用意にずらされ、これに伴って例えば光学素子の位置調整が不正確に行われるということは回避される。従って、保持部に光学素子を精度よく備えさせることができる。【００１９】
また、本発明によれば、弾性部材の弾性部材基板部の正面視左右両側部に突出部が設けられることで、保持部に弾性部材が装着されるときの横位置出しが可能で、且つ、光学素子の位置調整により、光学素子が初期取付位置から左右方向に動かされた際の弾性部材の横ずれ発生が防止される。従って、結果的に常に光学素子と弾性部材との接触位置を安定させることができる。また、これに伴って、初期性能の安定性、信頼性等を改善することができる。【００２０】
また、本発明によれば、保持部に対する弾性部材および／または回折格子の装着時および修理時の着脱を考慮し、弾性部材を構成するばね基板部の正面視左右両側部の圧入固定部に傾斜面部を形成させて、保持部に対し弾性部材を着脱自在に容易に装着可能とさせている。【００２１】
また、本発明によれば、弾性部材を構成するばね基板部の正面視左右両側部の圧入固定部に傾斜面部を形成させて、例えば略テーパ形状をした圧入固定部をばね基板部の正面視左右両側部に設けることで、保持部に弾性部材を装着するときに樹脂製保持部に金属製ばねが食い込むこととなり、保持部に対する弾性部材の位置ずれ防止効果も期待できる。【００２２】
また、本発明によれば、弾性部材により光学素子が保持部に精度よく位置調整されて備えられる。従って、光学特性に優れるピックアップ装置を構成させることができる。
【図面の簡単な説明】
【００２３】
【図１】本発明に係るピックアップ装置およびそれを備えるディスク装置の第一の実施形態を示す図であり、（Ａ）はピックアップ装置およびそれを備えるディスク装置を示す平面図、（Ｂ）はピックアップ装置およびそれを備えるディスク装置をモータ主体部組立体側から側面視した状態を示す概略図である。
【図２】ピックアップ装置およびそれを備えるディスク装置を示す斜視図である。
【図３】（Ａ）は本発明に係る弾性部材の第一の実施形態を示す正面図、（Ｂ）は同じく弾性部材を示す側面図、（Ｃ）は同じく弾性部材を示す下面図である。
【図４】弾性部材を示す斜視図である。
【図５】（Ａ）は本発明に係る光学素子の取付構造を構成する保持部の第一の実施形態を示す平面図、（Ｂ）は（Ａ）のＢ−Ｂ断面図、（Ｃ）は（Ａ）のＣ−Ｃ断面図である。
【図６】本発明に係る光学素子の取付構造を構成する光学素子の第一の実施形態を示す平面図である。
【図７】ピックアップ装置の駆動装置の可動部を示す側面図である。
【図８】（Ａ）はピックアップ装置の駆動装置の固定部を示す一側の断面図、（Ｂ）はピックアップ装置の駆動装置の固定部を示す他側の断面図である。
【図９】ピックアップ装置およびそれを備えるディスク装置を示す概略図である。
【図１０】本発明に係るピックアップ装置の第二の実施形態を示す斜視図である。
【図１１】本発明に係る光学素子の取付構造を構成する光学素子および保持部材の第二の実施形態を示す斜視図である。
【図１２】同じく光学素子の取付構造を構成する光学素子および保持部材の説明図である。
【図１３】同じく光学素子の取付構造を構成する光学素子および保持部材を示す斜視図である。
【図１４】同じく光学素子の取付構造を構成する光学素子、弾性部材、保持部、並びにピックアップ装置を示す斜視図である。
【図１５】図１４に示す光学素子、弾性部材、保持部材が保持部に装備された状態を示す拡大斜視図である。
【図１６】同じく光学素子、弾性部材、保持部材が保持部に装備された光学素子の取付構造、並びにピックアップ装置を示す平面図である。
【図１７】図１６に示す要部Ｄにおいて、光学素子、弾性部材、保持部材が接合部材等により保持部に装備された光学素子の取付構造、並びにピックアップ装置を示す拡大説明図である。
【発明を実施するための形態】
【００２４】
本明細書および添付図面の記載により、少なくとも以下の事項が明らかになる。
【実施例１】
【００２５】
以下に、本発明に係る弾性部材、光学素子の取付構造、並びに、それを備えるピックアップ装置の第一の実施形態を図面に基づいて詳細に説明する。【００２６】
駆動装置組立体５を構成するヘッド主体部組立体７は、略平板状の基盤部８０と、略平板状の基盤部８０に取り付けられた一対の長尺丸棒状の支持体９１，９２と、一対の長尺丸棒状の支持体９１，９２に移動可能に装備されたヘッド駆動装置９０と、を備えて構成されている。また、光ヘッド駆動装置９０は、メディアＭの一つとされるディスクＭの信号面部Ｍａにレーザ光などの光の焦点を合わせた状態で光を照射させる一対の光学部材１３１，１３２を備えて構成されている。この明細書における基盤部とは、例えば、略板状のもの、略基板状のもの等の基礎、土台となるものとされ、便宜上の呼び名とされている。また、メディア（ｍｅｄｉａ）とは、例えば、データ、情報、信号などが保存されるディスク（ｄｉｓｃ）等を意味する。【００２７】
また、駆動装置組立体５を構成するモータ主体部組立体５０は、回路（図示せず）が構成された略平板状の基板６０と、略平板状の基板６０に通電可能に取り付けられたモータ駆動装置７０と、を備えて構成されている。また、モータ駆動装置７０は、回転駆動力を発生させる小型電動機７１と、小型電動機７１に備えられた回動軸７２と、回動軸７２に装備されディスクＭが装着される回動保持部７３と、を備えて構成されている。【００２８】
また、駆動装置組立体５およびそれを備えるディスク装置１として、例えばトラバースメカ５およびそれを備える光ディスク装置１が用いられている。【００２９】
図１，図２，図９に示すピックアップ装置１００として、例えば対物レンズとされる光学部材１３１，１３２を介してレーザ光（ＬＡＳＥＲ：ｌｉｇｈｔ  ａｍｐｌｉｆｉｃａｔｉｏｎ  ｂｙ  ｓｔｉｍｕｌａｔｅｄｅｍｉｓｓｉｏｎ  ｏｆ  ｒａｄｉａｔｉｏｎ）を出射可能な光ピックアップ装置１００が用いられている。例えば光ピックアップ（ｏｐｔｉｃａｌ  ｐｉｃｋｕｐ）又は光ピックアップ装置（ｏｐｔｉｃａｌ  ｐｉｃｋｕｐ  ｕｎｉｔ）は、「ＯＰＵ」と略称される。また、対物レンズ（ｏｂｊｅｃｔｉｖｅ  ｌｅｎｓ）は、例えば「ＯＢＬ」と略称して用いられている。【００３０】
ディスク装置１の駆動装置組立体５に備えられたＯＰＵ１００のＯＢＬ１３１，１３２により絞られるレーザ光によって、ディスクＭ等のメディアＭに記録された情報などのデータが再生される。また、ディスク装置１の駆動装置組立体５に備えられたＯＰＵ１００のＯＢＬ１３１，１３２により絞られるレーザ光によって、ディスクＭ等のメディアＭに情報などのデータが記録される。また、ディスク装置１の駆動装置組立体５に備えられたＯＰＵ１００のＯＢＬ１３１，１３２により絞られるレーザ光によって、ディスクＭ等のメディアＭに記録された情報などのデータが消去される。【００３１】
ディスク装置１の駆動装置組立体５を構成するＯＰＵ１００は、各種ディスクＭ等の各種メディアＭに記録されたデータ、情報、信号を再生させたり、書込み可能もしくは書換え可能な各種ディスクＭ等の各種メディアＭにデータ、情報、信号を記録させたり、書込み可能もしくは書換え可能な各種ディスクＭ等の各種メディアＭのデータ、情報、信号を消去させたりするものとされている。【００３２】
又、ディスク装置１の駆動装置組立体５を構成するＯＰＵ１００は、例えば、「ＣＤ」（Ｃｏｍｐａｃｔ  Ｄｉｓｃ）（商標）系列／規格のメディアと、「ＤＶＤ」（登録商標）（Ｄｉｇｉｔａｌ  Ｖｅｒｓａｔｉｌｅ  Ｄｉｓｃ）系列／規格のメディアと、「ＨＤ  ＤＶＤ」（Ｈｉｇｈ  Ｄｅｆｉｎｉｔｉｏｎ  ＤＶＤ）（登録商標）系列／規格のメディアと、中国において定められた規格に基づくメディアとされる「ＣＢＨＤ（Ｃｈｉｎａ  Ｂｌｕｅ  Ｈｉｇｈ−Ｄｅｆｉｎｉｔｉｏｎ）」（例：旧名「ＣＨ−ＤＶＤ」）系列／規格のメディアと、「ＢＤ」（Ｂｌｕ−ｒａｙ／Ｂｌｕ−ｒａｙ  Ｄｉｓｃ）（登録商標）系列／規格のメディアと、に対応したものとされる。ディスク装置１の駆動装置組立体５を構成するＯＰＵ１００は、例えば、上記各種メディアからなる群から選ばれる少なくとも一種のメディアに対応したものとされている。具体的に説明すると、ディスク装置１の駆動装置組立体５を構成するＯＰＵ１００は、上記複数の何れかのメディアに対応したものとされている。【００３３】
メディアＭとして例えば上記各種光ディスクＭ等が挙げられるが、次の形態をしたメディアＭも挙げられる。例えば、ディスクＭとして、ディスク両面に信号面部Ｍａが設けられ、データ書込み／消去やデータ書換え等が可能とされた光ディスクＭ等も挙げられる。また、ディスクＭとして、例えば二層の信号面部Ｍａが設けられ、データ書込み／消去やデータ書換え等が可能とされた光ディスクＭ等も挙げられる。また、例えば三層の信号面部が設けられ、データ書込み／消去やデータ書換え等が可能とされた「ＨＤ  ＤＶＤ」及び／又は「Ｂｌｕ−ｒａｙ／Ｂｌｕ−ｒａｙ  Ｄｉｓｃ」用光ディスク等も挙げられる（図示せず）。また、例えば四層の信号面部が設けられ、データ書込み／消去やデータ書換え等が可能とされた「Ｂｌｕ−ｒａｙ／Ｂｌｕ−ｒａｙ  Ｄｉｓｃ」用光ディスク等も挙げられる（図示せず）。また、例えば光ディスクＭのレーベル面部の側にレーザ光を照射させてレーベル等の各種書込み等を行うことが可能とされた光ディスクＭ等も挙げられる。光ディスクＭの信号面部Ｍａ、レーベル面部は、例えば金属薄膜などの薄層等を備えて構成されている。金属薄膜などを備えて構成される信号面部Ｍａにデータ、情報、信号などが記録され、レーベル面部に画像などが記録される。光ディスクＭの信号面部Ｍａは、例えば金属薄層などを備えて構成される信号層Ｍａとして構成されている。このように、各種光ディスクＭとして各種形態をした複層／多層構造の光ディスクが挙げられる。便宜上、各種形態の光ディスクを光ディスクＭとして纏めて説明する。【００３４】
また、図１，図２，図９に示すディスク装置１として、例えばレーザ光を出射可能な光ディスク装置１が用いられている。詳しく説明すると、ディスク装置１として、例えば、「ＣＤ」、「ＤＶＤ」、「ＨＤ  ＤＶＤ」、「ＣＢＨＤ」、「ＢＤ」等の各種光ディスクＭに対応した光ディスク装置１が用いられている。また、ディスク装置１を構成する駆動装置組立体５として、例えば光ディスクＭのピット（ｐｉｔ）、トラック（ｔｒａｃｋ）等の略螺旋状信号部（図示せず）を横切るように光ディスクＭの半径方向に略沿ってＯＰＵ１００が往復移動可能に備えられて構成されたトラバースメカ５が用いられている。【００３５】
また、光ディスク装置１又はトラバースメカ５を構成するＯＰＵ１００として、例えば上記各種光ディスクＭに対応したＯＰＵ１００が用いられている。また、光ディスク装置１又はトラバースメカ５を構成しＯＰＵ１００を移動自在に支える支持体９１，９２として、例えば略直線丸棒状のスライドシャフト９１，９２が用いられている。【００３６】
また、光ディスクＭを回転させるドライブ装置４０として、スピンドルモータ７１、ターンテーブル７３等を含み光ディスクＭを回転駆動させるディスクドライブ装置４０が用いられている。ドライブ装置４０のスピンドルモータ７１上に設けられたターンテーブル７３は、光ディスクＭの調芯と、光ディスクＭの高速回転時の安定化確保と、の両機能を兼ね備えている。【００３７】
また、光ディスク装置１又はトラバースメカ５を構成する基盤部８０として、例えば、ＯＰＵ１００が移動自在に装備された一対の支持体９１，９２と、スピンドルモータ７１、ターンテーブル７３等を有するドライブ装置４０と、が取り付けられる略平板状のシャーシ８０が用いられている。シャーシ（ｃｈａｓｓｉｓ）とは、例えば部品などが取り付けられる組込み台を意味する。【００３８】
光ディスク装置１は、上記ＯＰＵ１００と、上記スライドシャフト９１，９２と、上記ディスクドライブ装置４０と、上記シャーシ８０と、を有する上記トラバースメカ５を備えて構成されている。光ディスク装置１並びにディスク装置１を構成するトラバースメカ５は、上記各種部品以外の他の部品等も備えて構成されるが、ここでは他の部品等の詳細な説明を省略する。【００３９】
複数のＯＢＬ１３１，１３２（図１，図２，図７）、光学部材保持部材１４０（図７）、複数の磁性部材１７１，１７６（図２，図８）に対応する複数のコイル１５１，１５２，１５３（図７）、光学部材保持部材１４０に複数のＯＢＬ１３１，１３２や複数のコイル１５１，１５２，１５３等が取り付けられて構成された駆動主体部１９３、駆動主体部１９３を支持する複数の支持部材１６１，１６２，１６３，１６４，１６５，１６６（図７）／１６０（図２）は、ＯＰＵ１００の駆動装置１９０の可動部１９１（図７）を構成する。また、一対の磁性部材１７１，１７６（図２，図８）、一組の固定部材１８０は、ＯＰＵ１００の駆動装置１９０（図８）の固定部１９５を構成する。ＯＰＵ１００（図１，図２，図９）のＯＢＬ１３１，１３２の駆動装置１９０（図７，図８）は、前記固定部１９５と前記可動部１９１とを備える例えばアクチュエータ１９０として構成されている。また、光学部材保持部材１４０（図７）いわゆるレンズホルダ１４０に、二つのＯＢＬ１３１，１３２、前後各一対の合計六つのコイル１５１，１５１，１５２，１５２，１５３，１５３等が取り付けられて構成された駆動主体部１９３は、例えばレンズ・ホルダ組立体１９３とされる。【００４０】
発光素子を構成する光学部材（図示せず）に電流が供給されて発光素子を構成する不図示の光学部材から出射されるレーザ光により、光ディスクＭ（図９）に情報の記録が行われたり、光ディスクＭに記録された情報が再生されたり、光ディスクＭに記録された情報が消去されたりする。発光素子として例えば半導体レーザ等が挙げられる。【００４１】
図１，図２，図９に示すＯＰＵ１００は、光ディスクＭ（図９）にレーザ光を照射させる光学部材いわゆるレーザダイオード（ＬＤ：ｌａｓｅｒ  ｄｉｏｄｅ）（図示せず）を備える。また、このＯＰＵ１００は、ＬＤに電気を流してＬＤを光らせる駆動回路部いわゆるレーザドライバ（ＬＤＤ：ＬＤ  ｄｒｉｖｅｒ）（図示せず）を備える。また、このＯＰＵ１００は、ＬＤ等の電気系部品とＬＤＤ等の電気系部品とを通電可能に接続するフレキシブルフラット回路体、フレキシブルプリント回路体などのフレキシブル基板（何れも図示せず）を備える。フレキシブルフラット回路体（ｆｌｅｘｉｂｌｅ  ｆｌａｔ  ｃｉｒｃｕｉｔ／ｆｌｅｘｉｂｌｅ  ｆｌａｔ  ｃａｂｌｅ）は、「ＦＦＣ」と略称される。また、フレキシブルプリント回路体（ｆｌｅｘｉｂｌｅ  ｐｒｉｎｔｅｄ  ｃｉｒｃｕｉｔ／ｆｌｅｘｉｂｌｅ  ｐｒｉｎｔｅｄ  ｃａｂｌｅ）は、「ＦＰＣ」と略称される。【００４２】
例えば不図示のＬＤＤからＦＰＣを通してＬＤへ電気が流されて、ＬＤからレーザ光が出力される。例えば、波長が約７６５〜８４０ｎｍ（ナノメートル）、基準とされる波長が略７８０ｎｍの赤外レーザ光を出射可能な「ＣＤ」用の０．２〜１０００ｍＷ（ミリワット）のレーザ光がＬＤから出射される。また、例えば、波長が約６３０〜６８５ｎｍ、基準とされる波長が略６３５ｎｍまたは６５０ｎｍの赤色レーザ光を出射可能な「ＤＶＤ」用の０．２〜１０００ｍＷのレーザ光がＬＤから出射される。ＬＤは、例えば、基準とされる波長が略７８０ｎｍとされ波長が略７６５〜８４０ｎｍの第一波長レーザ光と、基準とされる波長が略６３５ｎｍまたは６５０ｎｍとされ波長が略６３０〜６８５ｎｍの第二波長レーザ光と、を出射可能な二波長ＬＤとして構成される。【００４３】
光ディスク装置１、ＯＰＵ１００等の設計／仕様等により、例えば、波長が約３４０〜４５０ｎｍ、好ましくは約３８０〜４５０ｎｍ、より好ましくは約４００ｎｍを超え４５０ｎｍ以下、基準とされる波長が略４０５ｎｍの青紫色レーザ光を出射可能な「ＣＢＨＤ」、「ＨＤ  ＤＶＤ」、「Ｂｌｕ−ｒａｙ／Ｂｌｕ−ｒａｙ  Ｄｉｓｃ」用の０．２〜１０００ｍＷのレーザ光がＬＤから出射される。この場合、ＬＤは、例えば、基準とされる波長が略７８０ｎｍとされ且つ出射波長が略７６５〜８４０ｎｍの第一波長レーザ光と、基準とされる波長が略６３５ｎｍまたは６５０ｎｍとされ且つ出射波長が略６３０〜６８５ｎｍの第二波長レーザ光と、基準とされる波長が略４０５ｎｍとされ且つ出射波長が略３４０〜４５０ｎｍの第三波長レーザ光と、の複数種類の波長のレーザ光を出射可能な特殊なＬＤとして構成される。また、ＬＤとして、上記各波長のレーザ光を出射可能な単波長ＬＤ等の各種ＬＤが使用可能とされる。また、ＬＤとして、上記各波長のうち少なくとも一種の波長のレーザ光を出射可能なＬＤが使用可能とされる。【００４４】
ＬＤから例えば０．２以上１０００ｍＷ以下、具体的には０．５以上８００ｍＷ以下の出力値のレーザ光が出射される。例えば０．２ｍＷ未満の出力値のレーザ光とされた場合、光ディスクＭに照射されたのちに反射され不図示の受光素子に届くレーザ光の光量が不足する。光ディスクＭの各データ等を再生させるときには、例えば０．２ｍＷ以上好ましくは０．５ｍＷ以上２０ｍＷ以下程度という数〜数十ｍＷの出力値のレーザ光で十分とされる。光ディスクＭに各データ等を書き込むときには、数十〜数百ｍＷの出力値のレーザ光が必要とされる。例えば光ディスクＭに高速で各データ等を書き込むときには、２０ｍＷ超、具体的には、２００ｍＷ、４００ｍＷ、６００ｍＷ、８００ｍＷ、１０００ｍＷ等という高い出力値のパルスレーザ光が必要とされることがある。【００４５】
図３〜図６の如く、この光学素子１０の取付構造は、光学素子１０と、光学素子１０を装備させるときに用いられる弾性部材３０と、光学素子１０および弾性部材３０が装備される保持部１２０と、を備えて構成されている。保持部１２０に弾性部材３０が圧入されると共に、弾性部材３０により保持部１２０に光学素子１０が備えられている。【００４６】
また、光学素子１０は、光が透過可能な正面視略矩形板状に形成されている。また、光学素子１０に対応して、弾性部材３０は、光が通過可能な正面視略凹状に形成されている。【００４７】
また、保持部１２０は、樹脂が用いられて形成されている。また、弾性部材３０は、金属が用いられて形成されている。【００４８】
また、光学素子１０は、入射された光を複数に分ける回折格子１０とされている。ＬＤから出射された第一波長レーザ光および第二波長レーザ光は、４分割などの複数の領域部１１，１２，１３，１４に分割された光学素子１０いわゆる回折格子１０によりメインビーム（０次光）と２つのサブビーム（±１次回折光束）との少なくとも３ビームに分けられる。【００４９】
保持部１２０に光学素子１０が装備されるときに、光学素子１０は、保持部１２０に共に装備された弾性部材３０により保持部１２０に備えられる。保持部１２０に弾性部材３０が圧入されるので、例えば保持部１２０に弾性部材３０と共に装備された光学素子１０の取付位置が調整されるときに、弾性部材３０が不用意にずらされ、これに伴って例えば光学素子１０の位置調整が不正確に行われるということは回避される。従って、保持部１２０に光学素子１０を精度よく備えさせることができる。【００５０】
この弾性部材３０は、光学素子１０を保持部１２０に位置合せさせつつ装備させるときに用いられる弾性部材３０とされている。弾性部材基板部３３に保持部１２０に対して位置決め固定させる圧入固定部３６，３７が備えられている。【００５１】
また、弾性部材基板部３３は、略板状に形成されている。また、圧入固定部３６，３７は、弾性部材基板部３３の正面視左右両側部３３Ｌ，３３Ｒに突出された突出部３６，３７とされている。【００５２】
また、圧入固定部３６は、保持部１２０に対して弾性部材基板部３３を着脱自在に装備可能とさせる傾斜面部３６ａ，３６ｂを有する。また、圧入固定部３７は、保持部１２０に対して弾性部材基板部３３を着脱自在に装備可能とさせる傾斜面部３７ａ，３７ｂを有する。【００５３】
また、光学素子１０および保持部１２０に対して復元弾性力を発生させる当接力発生部３１，３２が弾性部材基板部３３に延設されている。【００５４】
また、弾性部材基板部３３に対し当接力発生部３１，３２が折り返されている。【００５５】
また、この光学素子１０の取付構造においては、弾性部材３０として、上記形態をした弾性部材３０が用いられている。【００５６】
保持部１２０に光学素子１０が位置合せされつつ装備されるときに、光学素子１０は、保持部１２０に装備された弾性部材３０により保持部１２０に備えられる。また、弾性部材基板部３３に保持部１２０に対して位置決め固定させる圧入固定部３６，３７が備えられているので、例えば保持部１２０に弾性部材３０と共に装備された光学素子１０の取付位置が調整されるときに、弾性部材３０が不用意にずらされ、これに伴って例えば光学素子１０の位置調整が不正確に行われるということは回避される。従って、保持部１２０に光学素子１０を精度よく備えさせることができる。【００５７】
また、弾性部材３０の弾性部材基板部３３の正面視左右両側部３３Ｌ，３３Ｒに突出部３６，３７が設けられることで、保持部１２０に弾性部材３０が装着されるときの横位置出しが可能で、且つ、光学素子１０の位置調整により、光学素子１０が初期取付位置から左右方向ＤＬＲに動かされた際の弾性部材３０の横ずれ発生が防止される。従って、結果的に常に光学素子１０と弾性部材３０との接触位置が安定する。また、これに伴って、光学素子１０の取付構造における初期性能の安定性、信頼性等を改善することができる。【００５８】
また、保持部１２０に対する弾性部材３０及び／又は回折格子１０の装着時および修理時の着脱を考慮し、弾性部材３０を構成するばね基板部３３の正面視左右両側部３３Ｌ／３３Ｒの圧入固定部３６／３７に傾斜面部３６ａ，３６ｂ／３７ａ，３７ｂを形成させて、保持部１２０に対し弾性部材３０を着脱自在に容易に装着可能とさせている。【００５９】
また、弾性部材３０を構成するばね基板部３３の正面視左右両側部３３Ｌ／３３Ｒの圧入固定部３６／３７に傾斜面部３６ａ，３６ｂ／３７ａ，３７ｂを形成させて、例えば略テーパ形状をした圧入固定部３６／３７をばね基板部３３の正面視左右両側部３３Ｌ／３３Ｒに設けることで、保持部１２０に弾性部材３０を装着するときに樹脂製保持部１２０に金属製ばね３０が食い込むこととなり、保持部１２０に対する弾性部材３０の位置ずれ防止効果も期待できる。【００６０】
また、このピックアップ装置１００は、上記光学素子１０の取付構造を有する。【００６１】
上記光学素子１０の取付構造が構成されていれば、弾性部材３０により光学素子１０が保持部１２０に精度よく位置調整されて備えられる。従って、光学特性に優れるピックアップ装置１００を構成させることができる。【００６２】
弾性部材、光学素子の取付方法、並びに、ピックアップ装置の組立方法を含めて詳しく説明すると、光学素子１０の取付構造を有するＯＰＵ１００は、入射されたレーザ光を複数に分ける光学素子１０と、光学素子１０を精度よく位置合せさせつつハウジング１１０の光学素子用保持部１２０に装備させるときに用いられる光学素子用弾性部材３０と、光学素子１０および光学素子用弾性部材３０が挿入されて装備される収容部１２９を有する光学素子用保持部１２０と、を備えて構成されている。【００６３】
光学素子１０は、入射されたレーザ光を複数に分けて出射させる正面視略矩形板状をした回折格子１０いわゆるグレーティング（ｇｒａｔｉｎｇ）として形成されている。また、光学素子用弾性部材３０として、回折格子用ばね３０が用いられている。また、光学素子用保持部１２０として、回折格子用ホルダ１２０が用いられている。また、光学素子用保持部１２０を構成する収容部１２９として、回折格子用ホルダ１２０を構成する正面視略凹状をした略矩形箱状の収容室１２９が用いられている。【００６４】
回折格子用ホルダ１２０は、ハウジング１１０を構成する基板部１１０Ａと、基板部１１０Ａに対し略垂直に立設された各側板部１２３Ａ，１２３Ｂ，１２３Ｃ，１２３Ｄと、を備えて構成されている。第一側板部１２３Ａに略平行して、第一側板部１２３Ａに対向して第二側板部１２３Ｂが配置されている。また、第一側板部１２３Ａおよび第二側板部１２３Ｂに略直交して、第三側板部１２３Ｃおよび第四側板部１２３Ｄが配置されている。また、第三側板部１２３Ｃに略平行して、第三側板部１２３Ｃに対向して第四側板部１２３Ｄが配置されている。【００６５】
回折格子用ホルダ１２０の収容室１２９に回折格子用ばね３０が着脱自在に圧入固定されると共に、回折格子用ホルダ１２０の収容室１２９に回折格子１０が装備されたときに回折格子用ばね３０の撓まされた弾性撓み片３１，３２に生じる復元弾性力により、回折格子用ホルダ１２０の収容室１２９内に回折格子１０が左右方向ＤＬＲおよび／または上下方向ＤＤＵおよび／または回動方向に略沿って取付位置が調整可能な状態で精度よく弾性保持されて備えられる。【００６６】
回折格子１０は、レーザ光が透過可能な透明もしくは半透明をした正面視略矩形板状に形成されている。また、回折格子１０に対応して、回折格子用ばね３０のばね基板部３３は、レーザ光が当てられることなく通過可能な正面視略凹状に形成されている。回折格子用ばね３０のばね基板部３３が略半長円状に切り欠かれて、回折格子用ばね３０のばね基板部３３に略半長円状のレーザ光透過部３５が形成されている。例えばレーザ光の光路において、他部材の回折格子調整孔（図示せず）に対応させると共に、回折格子用ばね３０の弾性撓み片３１，３２へのレーザ光の干渉を回避させ、さらに回折格子用ばね３０の著しい強度低下の発生を回避させるために、回折格子用ばね３０のばね基板部３３は、略半長円状に切り欠かれている。また、例えば撓まされた状態における弾性撓み片３１，３２へのレーザ光の干渉を回避させるために、回折格子用ばね３０が正面視されたときに、弾性撓み片３１，３２は、弾性撓み片３１，３２の根元に略相当する折返し曲げ部３１ｂ，３２ｂから略半円状の先端部３１ａ，３２ａにかけて次第に幅が狭められている。【００６７】
また、回折格子１０に対応して、回折格子用ホルダ１２０は、レーザ光が当てられることなく通過可能な正面視略凹状に形成されている。回折格子用ホルダ１２０の第一側板部１２３Ａが略凹状に切り欠かれて、回折格子用ホルダ１２０の第一側板部１２３Ａに略凹状の第一レーザ光透過部１２５Ｂが形成されている。また、同じく回折格子用ホルダ１２０の第二側板部１２３Ｂが略凹状に切り欠かれて、回折格子用ホルダ１２０の第二側板部１２３Ｂに略凹状の第二レーザ光透過部１２５Ｂが形成されている。例えばレーザ光の光路において、他部材の回折格子調整孔に対応させると共に、回折格子用ホルダ１２０の第一側板部１２３Ａならびに第二側板部１２３Ｂへのレーザ光の干渉を回避させるために、回折格子用ホルダ１２０の第一側板部１２３Ａならびに第二側板部１２３Ｂは、略凹状に切り欠かれている。【００６８】
また、回折格子用ホルダ１２０は、合成樹脂が用いられて形成されている。また、突出状圧入固定部３６，３７、弾性撓み片３１，３２、ばね基板部３３を備えた回折格子用ばね３０は、金属が用いられて形成されている。また、回折格子１０は、合成樹脂またはガラスが用いられて形成されている。【００６９】
ＯＰＵ１００を構成し回折格子用ホルダ１２０を有するハウジング１１０は、例えば、機械的特性、摺動特性、寸法安定性、耐熱性、射出成形性、絶縁特性などの電気的特性などに優れ、さらに鉄材などよりも軽量化が可能とされるポリフェニレンサルファイド（ＰＰＳ：ｐｏｌｙ  ｐｈｅｎｙｌｅｎｅ  ｓｕｌｆｉｄｅ）樹脂等のポリアリーレンサルファイド（ＰＡＳ：ｐｏｌｙ  ａｒｙｌｅｎｅ  ｓｕｌｆｉｄｅ）系樹脂を基材とした耐熱性の合成樹脂組成物が用いられて形成される。樹脂材料は、例えば鉄よりも比重が小さく軽量化に適した材料とされている。例えば、ＰＡＳ、ＰＰＳ等の合成樹脂材料は、一般に鋼系の金属材料よりも軟質なことから、ハウジング１１０の回折格子用ホルダ１２０に回折格子用ばね３０を装着するときに、樹脂製ハウジング１１０の回折格子用ホルダ１２０の収容室１２９を構成する左右側壁部１２３Ｃ，１２３Ｄに、鋼系の金属製回折格子用ばね３０を構成するばね基板部３３の正面視左右両側部３３Ｌ／３３Ｒの突出部３６／３７が食い込むこととなる。【００７０】
ＰＰＳを基材とした組成物として、例えばＤＩＣ（ディーアイシー、旧社名：大日本インキ化学工業）社製：ＤＩＣ（登録商標）等が挙げられる。具体的なＰＰＳを基材とした組成物として、例えば、非強化のリニア型ＰＰＳとされるＤＩＣ社製：「ＤＩＣ・ＰＰＳ  ＦＺ−２１００」、ガラス繊維３０％強化のリニア型ＰＰＳとされるＤＩＣ社製：「ＤＩＣ・ＰＰＳ  ＦＺ−２１３０」、ガラス繊維４０％強化の架橋型ＰＰＳとされるＤＩＣ社製：「ＤＩＣ・ＰＰＳ  ＦＺ−１１４０−Ｄ９」等が挙げられる。【００７１】
直鎖型ＰＰＳ（リニア型ＰＰＳ）組成物により形成された成形体は、例えば伸びが大きく靭性が良い。これに対し、架橋型ＰＰＳ組成物により形成された成形体は、例えば直鎖型ＰＰＳ組成物により形成された成形体に比べて弾性率が高い。また、半架橋型ＰＰＳ組成物により形成された成形体は，例えば、直鎖型ＰＰＳ組成物により形成された成形体の特性と、架橋型ＰＰＳ組成物により形成された成形体の特性との両方の特性を併せ持つ。【００７２】
又は、ＯＰＵ１００を構成するハウジング１１０は、例えば、アルミニウム（Ａｌ）、マグネシウム（Ｍｇ）、亜鉛（Ｚｎ）からなる群から選択される少なくとも一種以上の元素を含有する非鉄金属、ダイカスト合金などの金属が用いられて形成される。アルミニウム、マグネシウム、亜鉛は、耐食性に優れたものとされ、鉄よりも比重の小さい非鉄金属とされている。例えばアルミニウムを主成分とするアルミニウム合金などの非鉄金属材料が用いられてハウジング１１０が形成される。例えば、アルミニウムを主成分とするアルミニウム合金などの非鉄金属材料は、一般に鋼系の金属材料よりも軟質なことから、ハウジング１１０の回折格子用ホルダ１２０に回折格子用ばね３０を装着するときに、アルミニウム製ハウジング１１０の回折格子用ホルダ１２０の収容室１２９を構成する左右側壁部１２３Ｃ，１２３Ｄに、鋼製回折格子用ばね３０を構成するばね基板部３３の正面視左右両側部３３Ｌ／３３Ｒの突出部３６／３７が食い込むこととなる。【００７３】
また、回折格子用板ばね３０等は、例えば金属材料が用いられて形成される。例えば、効率よく安価で大量に板ばね３０等を形成させるために、圧延鋼板などの薄肉鋼板（何れも図示せず）に、打抜き加工、折曲げ加工、押付け加工などのプレス金型成形加工が行われて板ばね３０等が形成される。具体的に説明すると、例えば圧延鋼板などの鉄を主成分とする金属素材板が用いられて、プレス成形機（何れも図示せず）などにより、板ばね３０等が打抜き／折曲げ形成される。鉄を主成分とする金属素材板として、例えば、各種ステンレス鋼板、圧延鋼板、帯鋼などが挙げられる。【００７４】
板ばね３０等を構成する金属材料として、例えば「ＪＩＳ  Ｇ  ４３１３」に基づく「ばね限界値」が所定値以上の金属材料が用いられる。「ばね限界値」とは、例えば繰り返し荷重が加えられて永久変形が生じるか又は生じないかの境の応力とされる。具体的に説明すると、板ばね３０等を構成する金属材料として、例えば「ＪＩＳ  Ｇ  ４３１３」に基づく「ばね限界値」が少なくとも略２００Ｎ／ｍｍ２（ニュートン・パー・平方ミリメートル）以上、好ましくは略３００Ｎ／ｍｍ２以上の金属材料が用いられる。このように、板ばね３０等を構成する金属材料の「ばね限界値」の下限値は、例えば略２００Ｎ／ｍｍ２、好ましくは略３００Ｎ／ｍｍ２とされる。なお、例えば「ばね限界値」の上限値は、例えば略２０００Ｎ／ｍｍ２程度、材質により例えば略１５００Ｎ／ｍｍ２程度とされるが、材質等によりこれらに限られるものではない。なお、バネ用ステンレス鋼帯のばね限界値試験は、例えば「ＪＩＳ  Ｈ  ３１３０」の繰返したわみ式試験および／またはモーメント式試験に基づくものとされている。【００７５】
例えば「ＪＩＳ  Ｇ  ４３１３」に基づく冷間圧延状態のＳＵＳ３０１−ＣＳＰ（調質記号１／２Ｈ）のばね限界値は、略３１５Ｎ／ｍｍ２以上とされ、ＳＵＳ３０１−ＣＳＰ（調質記号３／４Ｈ）のばね限界値は、略３９０Ｎ／ｍｍ２以上とされ、ＳＵＳ３０１−ＣＳＰ（調質記号Ｈ）のばね限界値は、略４９０Ｎ／ｍｍ２以上とされ、ＳＵＳ３０１−ＣＳＰ（調質記号ＥＨ）のばね限界値は、略５９０Ｎ／ｍｍ２以上とされ、ＳＵＳ３０１−ＣＳＰ（調質記号ＳＥＨ）のばね限界値は、略６５０Ｎ／ｍｍ２以上とされている。また、例えば「ＪＩＳ  Ｇ  ４３１３」に基づく冷間圧延状態のＳＵＳ３０４−ＣＳＰ（調質記号１／２Ｈ）のばね限界値は、略２７５Ｎ／ｍｍ２以上とされ、ＳＵＳ３０４−ＣＳＰ（調質記号３／４Ｈ）のばね限界値は、略３３５Ｎ／ｍｍ２以上とされ、ＳＵＳ３０４−ＣＳＰ（調質記号Ｈ）のばね限界値は、略３９０Ｎ／ｍｍ２以上とされている。また、例えば「ＪＩＳ  Ｇ  ４３１３」に基づく析出硬化熱処理状態のＳＵＳ６３２Ｊ１−ＣＳＰ（調質記号３／４Ｈ）のばね限界値は、略１４００Ｎ／ｍｍ２以上とされている。【００７６】
板ばね３０等は、例えば耐食性に優れる金属材料とされるステンレス鋼板、鋼帯などのステンレスなどが用いられて形成される。例えば、ばね用ステンレス鋼帯として、「ＪＩＳ  Ｇ  ４３１３」に基づいて定められたオーステナイト系のＳＵＳ３０１系のＳＵＳ３０１−ＣＳＰ並びにＳＵＳ３０４系のＳＵＳ３０４−ＣＳＰ、マルテンサイト系のＳＵＳ４２０系のＳＵＳ４２０Ｊ２−ＣＳＰ、析出硬化系のＳＵＳ６３１系のＳＵＳ６３１−ＣＳＰ並びにＳＵＳ６３２系のＳＵＳ６３２Ｊ１−ＣＳＰ等が挙げられる。なお、ＣＳＰ（ｃｏｌｄ  ｓｐｒｉｎｇ  ｐｌａｔｅ）とは、板バネの記号の一つとされる。具体的なステンレス材料として、クロム（Ｃｒ）が約１６〜１８％含有されると共にニッケル（Ｎｉ）が約６〜８％含有され加工性に優れるオーステナイト系ステンレス鋼（例：ＳＵＳ３０１系）等が挙げられる。また、具体的なステンレス材料として、クロム（Ｃｒ）が約１３〜１９％含有されると共に硫黄（Ｓ）とリン（Ｐ）とが少量含有され快削性に優れるオーステナイト系ステンレス鋼（例：ＳＵＳ３０３系）等が挙げられる。また、具体的なステンレス材料として、クロム（Ｃｒ）が約１８〜２０％含有されると共にニッケル（Ｎｉ）が約８〜１０．５％含有されて非磁性とされると共に耐食性に優れるオーステナイト系ステンレス鋼（例：ＳＵＳ３０４系）等が挙げられる。オーステナイト系ステンレス鋼は、非磁性とされていることから、オーステナイト系ステンレス鋼材が用いられて回折格子用板ばね３０等が形成されていれば、例えばＯＰＵ１００等に磁気による悪影響が及ぼされるということは回避される。また、上記ＳＵＳ３０４系は、クロム（Ｃｒ）が含有されると共にニッケル（Ｎｉ）が含有されることから、クロム−ニッケル系ステンレス鋼などと呼ばれる。ばね用ステンレス鋼の一種とされるオーステナイト系ステンレス鋼（例：ＳＵＳ３０１系）が用いられて、回折格子用薄板ばね３０等が形成されている。【００７７】
また、例えば、冷間圧延鋼板および／または帯鋼として、「ＪＩＳ  Ｇ  ３１４１」に基づいて定められたＳＰＣＣ，ＳＰＣＤ，ＳＰＣＥ等が挙げられる。【００７８】
又は、板ばね３０等は、例えば、静電気、ノイズ等を逃がすときに用いられる導体として使用可能な金属材料が用いられて形成される。具体的には、強度、ばね特性、耐食性などに優れ、導体として利用可能な燐青銅製板材に、打抜き加工や、曲げ加工などのプレス加工が行われて、略板状等の板ばね３０等がプレス成形される。例えば銅を主成分とする金属素材板が用いられて、プレス成形機などにより、例えば略平板状等の板ばね３０等が打抜き形成される。銅（Ｃｕ）を主成分とする金属材料として、例えば、錫（Ｓｎ）を約３．５〜９％、燐（Ｐ）を約０．０３〜０．５％含有する銅合金が用いられることが好ましい。具体的に説明すると、銅（Ｃｕ）を主成分とし、錫（Ｓｎ）を約７〜９％、燐（Ｐ）を約０．０３〜０．３５％含有する銅合金として、例えば、強度、ばね特性、耐疲労性、耐食性などのよい「ばね用燐青銅」が用いられるとよい。ばね用燐青銅板材料として、例えば、「ＪＩＳ  Ｈ３１３０」に基づいて定められたＣ５２１０（Ｃ５２１０Ｐ），Ｃ５２１２（Ｃ５２１２Ｐ）等が挙げられる。【００７９】
また、回折格子用ばね３０は、回折格子１０をハウジング１１０の回折格子用ホルダ１２０の収容室１２９内に精度よく位置合せさせつつ装備させるときに用いられる回折格子用ばね３０として構成されている。回折格子用ばね３０を構成するばね基板部３３に回折格子用ホルダ１２０に対して位置決め固定させる圧入固定部３６，３７が備えられている。【００８０】
また、回折格子用ばね３０のばね基板部３３は、正面視略矩形凹状をした略板状に形成されている。また、回折格子用ばね３０の圧入固定部３６，３７は、ばね基板部３３の正面視左右両側部３３Ｌ，３３Ｒに略台形状に突出された一対の突出部３６，３７として形成されている。【００８１】
また、回折格子用ばね３０の圧入固定部３６／３７は、回折格子用ホルダ１２０に対して回折格子用ばね３０のばね基板部３３を容易に着脱自在に装備可能とさせる正面視左右／上下一対の緩やかなテーパ面部３６ａ，３６ｂ／３７ａ，３７ｂを有する突出部３６／３７として形成されている。【００８２】
詳しく説明すると、例えば回折格子用ばね３０の右側の第一圧入固定部３６は、回折格子用ホルダ１２０に対して回折格子用ばね３０のばね基板部３３を容易に着脱自在に装備可能とさせる正面視上下一対の緩やかなテーパ面部３６ａ，３６ｂを有する突出部３６として形成されている。回折格子用ばね３０の右側の第一圧入固定部３６は、上下一対の緩やかなテーパ面部３６ａ，３６ｂと、上下一対の緩やかなテーパ面部３６ａ，３６ｂ間に位置しばね基板部３３の正面視右側面部３３Ｒａに略平行な摺接面部３６ｃと、を有する正面視略台形状に突出された突出部３６として形成されている。【００８３】
また、例えば回折格子用ばね３０の左側の第二圧入固定部３７は、回折格子用ホルダ１２０に対して回折格子用ばね３０のばね基板部３３を容易に着脱自在に装備可能とさせる正面視上下一対の緩やかなテーパ面部３７ａ，３７ｂを有する突出部３７として形成されている。回折格子用ばね３０の左側の第二圧入固定部３７は、上下一対の緩やかなテーパ面部３７ａ，３７ｂと、上下一対の緩やかなテーパ面部３７ａ，３７ｂ間に位置しばね基板部３３の正面視左側面部３３Ｌａに略平行な摺接面部３７ｃと、を有する正面視略台形状に突出された突出部３７として形成されている。【００８４】
回折格子用ばね３０が正面視されたときのばね基板部３３における正面視右側の上下一対の緩やかなテーパ面部３６ａ，３６ｂの傾斜角度は、ばね基板部３３の正面視左右両側面部３３Ｒａに対し、例えば略１３５度以上略１８０度未満の鈍角、好ましくは略１５０度以上略１７５度以下の鈍角、より好ましくは略１６０度以上略１７０度以下の鈍角とされる。また、回折格子用ばね３０が正面視されたときのばね基板部３３における正面視左側の上下一対の緩やかなテーパ面部３７ａ，３７ｂの傾斜角度は、ばね基板部３３の正面視左右両側面部３３Ｌａに対し、例えば略１３５度以上略１８０度未満の鈍角、好ましくは略１５０度以上略１７５度以下の鈍角、より好ましくは略１６０度以上略１７０度以下の鈍角とされる。【００８５】
前記角度において、傾斜角度がとられない例えば１８０度とされた場合、正面視左右／上下一対の緩やかなテーパ面部３６ａ，３６ｂ／３７ａ，３７ｂが形成されない。また、回折格子用ばね３０の仕様等により、傾斜角度が例えば略１７５度を超える大きい値とされた場合も、正面視左右／上下一対の緩やかなテーパ面部３６ａ，３６ｂ／３７ａ，３７ｂが形成され難いことが懸念される。また、回折格子用ばね３０の仕様等により、傾斜角度が例えば略１７０度を超える大きい値とされた場合も、正面視左右／上下一対の緩やかなテーパ面部３６ａ，３６ｂ／３７ａ，３７ｂが形成され難くなることが懸念される。【００８６】
また、回折格子用ばね３０の仕様等により、傾斜角度が例えば略１６０度未満の小さい値とされた場合、例えば回折格子用ホルダ１２０の収容室１２９内に回折格子用ばね３０を挿入することが行われ難くなることが懸念される。また、回折格子用ばね３０の仕様等により、傾斜角度が例えば略１５０度未満の小さい値とされた場合も、例えば回折格子用ホルダ１２０の収容室１２９内に回折格子用ばね３０を挿入することが行われ難いことが懸念される。また、回折格子用ばね３０の仕様等により、傾斜角度が例えば略１３５度未満の小さい値とされた場合も、例えば回折格子用ホルダ１２０の収容室１２９内に回折格子用ばね３０を挿入することができなくなることが懸念される。【００８７】
また、例えば厚さ３０ｔが略０．１ｍｍ（ミリメートル）のばね基板部３３の正面視左右両側部３３Ｌ／３３Ｒに略台形状に突出された突出部３６／３７の突出量は、ばね基板部３３の正面視左右両側面部３３Ｌａ／３３Ｒａに対し、例えば略０．０２〜０．５ｍｍとされる。突出部３６／３７の突出量が例えば略０．０２ｍｍ未満の小さい値とされた場合、例えば回折格子用ホルダ１２０の収容室１２９内に回折格子用ばね３０が確実に装着されずに、回折格子用ホルダ１２０の収容室１２９内にて回折格子用ばね３０が自在に移動することが懸念される。突出部３６／３７の突出量が例えば略０．５ｍｍを超える大きい値とされた場合、例えば回折格子用ホルダ１２０の収容室１２９内に回折格子用ばね３０を挿入することができなくなることが懸念される。このようなことから、ばね基板部３３の正面視左右両側面部３３Ｌａ／３３Ｒａに対する突出部３６／３７の突出量は、略０．０５〜０．２ｍｍとされることが好ましい。このように、ばね基板部３３の正面視左右両側面部３３Ｌａ／３３Ｒａに対する突出部３６／３７の突出量は、ばね基板部３３並びに弾性撓み片３１，３２を備える回折格子用ばね３０の厚さ３０ｔの略１／５〜５倍好ましくは略１／２〜２倍より好ましくは略等倍程度とされる。【００８８】
ばね基板部３３は、回折格子用ホルダ１２０の収容室１２９内に回折格子１０を精度よく位置合せさせつつ装備させるとき、並びに、ＯＰＵ１００が組み立てられたのちに位置合わせされた回折格子１０に接するばね基板部３３とされている。また、回折格子１０および回折格子用ホルダ１２０に対して復元弾性力を発生させる一対の略舌片状をした弾性撓み片３１，３２が、ばね基板部３３に延設されている。【００８９】
例えば、回折格子用ばね３０を構成する略平面板状の金属素材が曲げ部３１ｂ，３２ｂにて側面視略逆Ｖ字状に折り返されて、一対の略舌片状をした弾性撓み片３１，３２が、ばね基板部３３に対して例えば遠ざかる方向に略沿って延設されている。また、ばね基板部３３並びに弾性撓み片３１，３２を備える回折格子用ばね３０の弾性撓み片３１，３２が自然状態のときに、弾性撓み片３１／３２の略緩やかに曲げられた湾曲部３１ｃ／３２ｃから先の略長円状の先端部３１ａ／３２ａは、ばね基板部３３に対して略平行とされている。ばね基板部３３に対し一対の略舌片状をした弾性撓み片３１，３２が折り返し形成されて、回折格子用ばね３０は、例えば側面視裏返し状の略逆Ｊ字状に形成されている。回折格子１０にばね基板部３３が接し、回折格子用ホルダ１２０の収容室１２９内に弾性撓み片３１／３２の略緩やかに曲げられた湾曲部３１ｃ／３２ｃが接する。【００９０】
また、回折格子用ばね３０が正面視されたときに、弾性撓み片３１，３２は、例えば略Ｕ字状のレーザ光透過部３５が形成されたばね基板部３３の略上半分に略重なる。また、回折格子用ばね３０が正面視されたときに、第一の弾性撓み片３１は、弾性撓み片３１の略根元に略相当する折返し曲げ部３１ｂから略半円状の先端部３１ａにかけて次第に幅が狭められている。また、回折格子用ばね３０が正面視されたときに、第一の弾性撓み片３２は、弾性撓み片３２の略根元に略相当する折返し曲げ部３２ｂから略半円状の先端部３２ａにかけて次第に幅が狭められている。【００９１】
また、例えば自然状態の回折格子用ばね３０が側面視されたときに、略逆Ｖ字状の折返し曲げ部３１ｂ，３２ｂを基点にしてばね基板部３３に対し遠ざかる方向に延設された弾性撓み片３１／３２は、弾性撓み片３１／３２の略中央にて略緩やかに曲げられて、弾性撓み片３１／３２に緩やかな湾曲部３１ｃ／３２ｃが形成され、その先の弾性撓み片３１／３２は、ばね基板部３３に対し略平行に延設されている。回折格子用ホルダ１２０の収容室１２９内に回折格子１０並びに回折格子用ばね３０が挿入されて、弾性撓み片３１，３２が撓まされた状態で回折格子１０の位置調整が行われるときに、側面視された回折格子用ばね３０の略逆Ｖ字状の折返し曲げ部３１ｂ，３２ｂを基点にしてばね基板部３３に対し遠ざかる方向に延設された弾性撓み片３１／３２は、弾性撓み片３１／３２の略中央の緩やかな湾曲部３１ｃ／３２ｃを境にしてばね基板部３３に対し近づく方向に延設されている。【００９２】
回折格子用ホルダ１２０の収容室１２９内にて、弾性撓み片３１，３２が撓まされた状態で回折格子１０の位置調整が行われるときに、例えば回折格子１０の変位に対する弾性撓み片３１，３２の荷重変化は、僅かに吸収される。【００９３】
ハウジング１１０の回折格子用ホルダ１２０に回折格子用ばね３０及び回折格子１０が備えられるときに、例えば厚さ３０ｔが略０．１ｍｍのばね基板部３３並びに弾性撓み片３１，３２を備える回折格子用ばね３０の弾性撓み片３１，３２が自然状態からばね基板部３３に向けて撓まされたときの弾性撓み片３１，３２の撓み量は、例えば略０．１〜０．５ｍｍとされる。ばね基板部３３に向けた弾性撓み片３１，３２の撓み量が例えば略０．１ｍｍ未満の小さい値とされた場合、例えば回折格子用ばね３０の弾性撓み片３１，３２に生じる復元弾性力の不足が懸念される。ばね基板部３３に向けた弾性撓み片３１，３２の撓み量が例えば略０．５ｍｍを超える大きい値とされた場合、例えば回折格子用ばね３０の弾性撓み片３１，３２に生じる復元弾性力が大きくなりすぎて回折格子１０の位置調整が行われ難くなることが懸念される。このようなことから、ばね基板部３３に向けた弾性撓み片３１，３２の撓み量は、例えば略０．２〜０．４ｍｍ程度とされることが好ましい。このように、回折格子用ばね３０の弾性撓み片３１，３２が自然状態からばね基板部３３に向けて撓まされたときの弾性撓み片３１，３２の撓み量は、ばね基板部３３並びに弾性撓み片３１，３２を備える回折格子用ばね３０の厚さ３０ｔの略１〜５倍好ましくは略２〜４倍程度とされる。【００９４】
また、この回折格子１０の取付構造においては、上記板ばね３０として、上記形態をした回折格子用ばね３０が用いられている。【００９５】
また、このＯＰＵ１００は、上記回折格子１０の取付構造を有する。【００９６】
上記回折格子１０の取付構造が構成されていれば、回折格子用ばね３０により、回折格子１０は、ハウジング１１０の回折格子用ホルダ１２０に精度よく位置調整されて備えられる。従って、光学特性に優れるＯＰＵ１００が構成される。【００９７】
ハウジング１１０の回折格子用ホルダ１２０の収容室１２９内に回折格子１０が位置合せされつつ装備されるときに、回折格子１０は、ハウジング１１０の回折格子用ホルダ１２０の収容室１２９内に共に装備された回折格子用ばね３０の撓まされた弾性撓み片３１，３２に生じる復元弾性力により、左右方向ＤＬＲおよび／または上下方向ＤＤＵおよび／または回動方向に略沿って取付位置が調整可能な状態でハウジング１１０の回折格子用ホルダ１２０の収容室１２９内に精度よく弾性保持されて備えられる。また、回折格子用ばね３０を構成するばね基板部３３に回折格子用ホルダ１２０に対して位置決め固定させる圧入固定部３６，３７が備えられて、回折格子用ホルダ１２０の収容室１２９に回折格子用ばね３０が着脱自在に圧入固定されるので、例えばハウジング１１０の回折格子用ホルダ１２０の収容室１２９内に回折格子用ばね３０と共に装備された回折格子１０の取付位置が左右方向ＤＬＲおよび／または上下方向ＤＤＵおよび／または回動方向に略沿って調整されるときに、回折格子用ばね３０がハウジング１１０の回折格子用ホルダ１２０の収容室１２９内で不用意に左右方向ＤＬＲおよび／または上下方向ＤＤＵおよび／または回動方向に略沿ってずらされ、これに伴って例えば回折格子１０の位置調整が結果として不正確に行われるという不具合の発生は回避される。従って、ハウジング１１０の回折格子用ホルダ１２０の収容室１２９内に回折格子１０が精度よく弾性保持されて備えられる。【００９８】
また、回折格子用ばね３０のばね基板部３３の正面視左右両側部３３Ｌ，３３Ｒに略台形状に突出された一対の突出部３６，３７が設けられることで、ハウジング１１０の回折格子用ホルダ１２０の収容室１２９内に回折格子用ばね３０が装着されるときの左右方向ＤＬＲに略沿った位置出しいわゆる横位置出しが可能で、且つ、回折格子１０の略中央分割線１６の位置調整により、回折格子１０が初期取付位置から左右方向ＤＬＲに略沿って動かされた際の回折格子用ばね３０の横ずれ発生が防止される。従って、結果的に常に回折格子１０と回折格子用ばね３０との接触位置が安定する。また、これに伴って、回折格子１０の取付構造において、初期性能の安定性が改善され、熱衝撃試験〔ヒートショック（Ｈ／Ｓ：ｈｅａｔ  ｓｈｏｃｋ）〕等における信頼性評価等においても回折格子１０の位相ずれが改善される。【００９９】
また、回折格子用ばね３０の突出部３６，３７の突出形状については、ハウジング１１０の回折格子用ホルダ１２０に対する回折格子用ばね３０及び／又は回折格子１０の装着時および修理時の着脱を考慮し、回折格子用ばね３０を構成するばね基板部３３の正面視左右両側部３３Ｌ／３３Ｒの突出部３６／３７に、正面視左右／上下一対の緩やかなテーパ面部３６ａ，３６ｂ／３７ａ，３７ｂを形成させて、突出部３６／３７を略テーパ形状にして、ハウジング１１０の回折格子用ホルダ１２０に対し、回折格子用ばね３０を着脱自在に容易に装着可能とさせている。【０１００】
また、回折格子用ばね３０を構成するばね基板部３３の正面視左右両側部３３Ｌ／３３Ｒの突出部３６／３７に、正面視左右／上下一対の緩やかなテーパ面部３６ａ，３６ｂ／３７ａ，３７ｂを形成させて、例えば略テーパ形状をした突出部３６／３７いわゆるテーパ部を回折格子用ばね３０を構成するばね基板部３３の正面視左右両側部３３Ｌ／３３Ｒに設けることで、ハウジング１１０の回折格子用ホルダ１２０に回折格子用ばね３０を装着するときに、樹脂製いわゆるプラスチック製ハウジング１１０の回折格子用ホルダ１２０に金属製ばね３０が食い込むこととなり、ハウジング１１０の回折格子用ホルダ１２０に対する回折格子用ばね３０の位置ずれ防止効果も期待される。【０１０１】
回折格子１０の取付位置が調整されて、ハウジング１１０の回折格子用ホルダ１２０の収容室１２９内に精度よく回折格子１０が装備されたのちに、例えば、接合部材／接着剤が用いられて、ハウジング１１０の回折格子用ホルダ１２０の収容室１２９内に回折格子用ホルダ１２０及び／又は回折格子用ばね３０が確実に固定される。【０１０２】
接合部材／接着剤の塗布・固着前までは、回折格子用ばね３０及び／又は回折格子１０は、ハウジング１１０の回折格子用ホルダ１２０に着脱自在に装備されるが、接合部材／接着剤の塗布・固着後は、回折格子用ばね３０及び／又は回折格子１０は、ハウジング１１０の回折格子用ホルダ１２０に着脱不能に装備される。【０１０３】
回折格子１０について詳しく説明すると、回折格子１０の回折面部１０ａは、第一レーザ波長光を少なくとも一本の第一メインビームと二本の第一サブビームとに分ける回折面部１０ａと、第二レーザ波長光を少なくとも一本の第二メインビームと二本の第二サブビームとに分ける回折面部１０ａと、を兼ねて、複数種類のレーザ波長光の回折に対応する一つの面部１０ａとして形成されている。回折格子１０の回折面部１０ａは、微細な凹凸状の繰返し周期構造を有する。回折格子１０を構成する回折面部１０ａの反対側の裏面部に微細な凹凸状の繰返し周期構造が形成されることなく、回折面部１０ａの反対側の裏面部は、例えば平滑面部として形成されている。【０１０４】
このように回折格子１０の回折面部１０ａが形成されていれば、回折格子１０における不要な回折光の発生が抑えられるとともにレーザ光の効率の低下が防止され、更に価格を低く抑えることが可能なＯＰＵ１００が構成される。【０１０５】
回折格子１０の回折面部１０ａが、第一レーザ波長光を少なくとも一本の第一メインビームと二本の第一サブビームとに分ける回折面部１０ａと、第二レーザ波長光を少なくとも一本の第二メインビームと二本の第二サブビームとに分ける回折面部１０ａと、を兼ねて複数種類のレーザ波長光の回折に対応する一つの面部１０ａとして形成されていれば、第一レーザ波長光の第一メインビームおよび第一サブビームが不要に回折されて第一レーザ波長光の第一メインビームおよび第一サブビームの光の効率が低下されたり、第二レーザ波長光が不要に回折されて第二レーザ波長光の光の効率が低下されたりするということは回避される。【０１０６】
また、第一レーザ波長光を少なくとも一本の第一メインビームと二本の第一サブビームとに分ける回折面部１０ａと、第二レーザ波長光を少なくとも一本の第二メインビームと二本の第二サブビームとに分ける回折面部１０ａと、を兼ねて複数種類のレーザ波長光の回折に対応する一つの面部１０ａとして回折格子１０の回折面部１０ａが形成されているので、加工部分、加工工数等が減らされた回折格子１０が構成される。回折格子１０の加工部分、加工工数等が減らされるので、回折格子１０の価格が低く抑えられる。これに伴って、価格を低く抑えることが可能とされたＯＰＵ１００を構成させることが可能となる。【０１０７】
回折格子１０に、ＬＤから出射されるレーザ光の一部にπラジアンの位相シフトを発生させる位相シフト領域部１１，１４が設けられている。回折格子１０は、略長方形状の第一領域部１１と、第一領域部１１に隣接する略線状の第二領域部１２と、第二領域部１２に隣接する略線状の第三領域部１３と、第三領域部１３に隣接する略長方形状の第四領域部１４との少なくとも四つの領域部１１，１２，１３，１４に分けられている。回折格子１０は、複数の領域部１１，１２，１３，１４に分けられている。各領域部１１，１２，１３，１４内で所定の周期構造が構成されている。【０１０８】
第二領域部１２の位相状態と、第三領域部１３の位相状態とが分かり易くされるために、便宜上、第二領域部１２および第三領域部１３は、ある程度の幅をもたせて描かれている。実際には、回折格子１０の第二領域部１２および回折格子１０の第三領域部１３は、例えば幅１０ｗが２０〜２００μｍ程度の細い線形状とされる。また、回折格子１０を構成する各領域部１１，１２，１３，１４の周期構造は、微細な凹凸状の繰返し周期構造とされている。また、回折格子１０は、例えば略３〜１０ｍｍ角の縦横寸法をした厚み略０．３〜５ｍｍのガラス板またはプラスチック板とされている。【０１０９】
複数の領域部１１，１２，１３，１４に分けられた回折格子１０が構成されていれば、メディアＭの信号面部Ｍａに対するＯＰＵ１００のエラー信号の検出は、良好に行われ易くなる。例えば、メディアＭの信号面部Ｍａに対するＯＰＵ１００のトラッキングは、良好に行われ易くなる。回折格子１０が複数の領域部１１，１２，１３，１４に分けられて構成されることにより、メディアＭの信号面部Ｍａに、各々独立した少なくとも三個の集光スポットが照射される。メディアＭの信号面部Ｍａに、少なくとも三個の集光スポットが各々独立して照射されるので、トラックピッチが異なる二種類以上のメディアＭの記録／再生時等に、トラッキングエラー信号等のエラー信号の検出精度が低下するということは回避され易くなる。従って、トラッキング制御が行われ易いＯＰＵ１００の提供が可能となる。【０１１０】
回折格子１０は、偶数の領域部１１，１２，１３，１４に分けられている。【０１１１】
偶数の領域部１１，１２，１３，１４に分けられた回折格子１０が構成されていれば、メディアＭの信号面部Ｍａに形成される集光スポットは、精度のよい集光スポットとして形成される。例えば、回折格子１０の第二領域部１２と、第二領域部１２に隣接する第三領域部１３との境界線部１６によって、第一領域部１１および第一領域部１１に隣接する第二領域部１２を備える一方の領域部１８と、第三領域部１３および第三領域部１３に隣接する第四領域部１４を備える他方の領域部１９と、に回折格子１０が少なくとも二等分されて偶数分割されているので、ＯＰＵ１００に回折格子１０が装備されるときに、回折格子１０に当てられる光は、回折格子１０の一方の領域部１８と、回折格子１０の他方の領域部１９とに、略二等分された状態に当てられ易くなる。回折格子１０の一方の領域部１８と、回折格子１０の他方の領域部１９とに、光が略二等分とされた状態に当てられ易くなることにより、回折格子１０は、ＯＰＵ１００に精度よく備えられ易くなる。従って、メディアＭの信号面部Ｍａに精度よく集光スポットが形成され易くなる。これに伴って、トラックピッチが異なる二種類以上のメディアＭの記録／再生時等におけるトラッキングエラー信号等のエラー信号の検出精度が向上する。また、メディアＭの信号面部Ｍａに対するＯＰＵ１００のトラッキングは、精度よく行われ易くなる。【０１１２】
回折格子１０は、第一領域部１１と、第一領域部１１に隣接し第一領域部１１の周期構造に対し異なる周期構造を有する第二領域部１２と、第二領域部１２に隣接し第二領域部１２の周期構造に対し異なる周期構造を有する第三領域部１３と、第三領域部１３に隣接し第三領域部１３の周期構造に対し異なる周期構造を有する第四領域部１４と、の少なくとも四つの領域部１１，１２，１３，１４に分けられている。回折格子１０は、いわゆる四分割型・インライン・グレーティングとして構成されている。【０１１３】
複数の領域部１１，１２，１３，１４に分割された回折格子１０がＯＰＵ１００に装備されていれば、メディアＭの信号面部Ｍａに対するＯＰＵ１００のエラー信号の検出は、良好に行われる。例えば、メディアＭの信号面部Ｍａに対するＯＰＵ１００のトラッキングは、良好に行われる。回折格子１０が四つの領域部１１，１２，１３，１４に分けられて構成されることにより、メディアＭの信号面部Ｍａに、各々独立した少なくとも三個の集光スポットが照射される。メディアＭの信号面部Ｍａに、少なくとも三個の集光スポットが各々独立して照射されるので、トラックピッチが異なる二種類以上のメディアＭにデータ記録等が行われるときや、トラックピッチが異なる二種類以上のメディアＭのデータ再生が行われるときに、例えばＯＢＬ１３１／１３２の変位に伴って、トラッキングエラー信号等のエラー信号の検出精度が低下するということは回避される。従って、トラッキング制御が行われ易いＯＰＵ１００の提供が可能となる。【０１１４】
回折格子１０は、第一領域部１１および第一領域部１１に隣接する第二領域部１２を備える略長方形状の一方の領域部１８と、第三領域部１３および第三領域部１３に隣接する第四領域部１４を備える略長方形状の他方の領域部１９とを有するものとされる。回折格子１０の第一領域部１１の幅１１ｗと、第四領域部１４の幅１４ｗとは、略等しい幅とされている。また、回折格子１０の第二領域部１２の幅１２ｗと、第三領域部１３の幅１３ｗとは、略等しい幅とされている。回折格子１０の第二領域部１２と、この第二領域部１２に隣接する回折格子１０の第三領域部１３との境界線部１６により、回折格子１０は、回折格子１０を構成する一方の領域部１８と、回折格子１０を構成する他方の領域部１９とに二等分される。回折格子１０は、偶数分割されている。【０１１５】
これにより、メディアＭの信号面部Ｍａに形成される集光スポットは、精度のよい集光スポットとして形成される。偶数分割された回折格子１０の第二領域部１２と、第二領域部１２に隣接する第三領域部１３との境界線部１６によって、第一領域部１１および第一領域部１１に隣接する第二領域部１２を備える一方の領域部１８と、第三領域部１３および第三領域部１３に隣接する第四領域部１４を備える他方の領域部１９とに回折格子１０が二等分されるので、ＯＰＵ１００のハウジング１１０に回折格子１０が装備されるときに、ＬＤから出射され回折格子１０に当てられたレーザ光は、例えば不図示の光軸調整用カメラなどにより、容易に光軸調整される。ＬＤから出射され回折格子１０に当てられたのちにＯＢＬ１３１／１３２を透過したレーザ光は、例えば光軸調整用カメラなどが用いられて観察可能とされる。【０１１６】
四分割型回折格子１０においては、回折格子１０の略中央を二等分させて、略長方形状の一方の領域部１８と、略長方形状の他方の領域部１９とを構成させる境界線部１６が回折格子１０に設けられているので、光軸調整用カメラなどが用いられてレーザ光の光軸調整が行われるときに、レーザ光は、回折格子１０を構成する略長方形状の一方の領域部１８と、回折格子１０を構成する略長方形状の他方の領域部１９とに、略二等分された状態に当てられ易くなる。【０１１７】
回折格子１０を構成する略長方形状の一方の領域部１８と、回折格子１０を構成する略長方形状の他方の領域部１９とに、レーザ光が略二等分とされた状態に当てられ易くなることにより、回折格子１０は、ＯＰＵ１００のハウジング１１０に精度よく位置決め調整されつつ備えられ易くなる。従って、メディアＭの信号面部Ｍａに精度よく集光スポットが形成され易くなる。これに伴って、メディアＭの信号面部Ｍａに対するＯＰＵ１００のトラッキングは、精度よく行われ易くなる。【０１１８】
接合部材／接着剤について説明すると、接合部材／接着剤として、例えば、一液性または二液性のエポキシ系樹脂、一液性のアクリル系樹脂などを主成分とした紫外線硬化型接着剤などの電子線硬化型接着剤などが挙げられる。また、接着剤として、例えば、一液性または二液性のエポキシ系樹脂、変性アクリル系樹脂などを主成分とした熱硬化性樹脂などが挙げられる。一液性樹脂等からなる接着剤は、例えば接着作業性などに優れ、二液性樹脂等からなる接着剤は、例えば接着剤の価格特性などに優れる。【０１１９】
詳しく説明すると、このＯＰＵ１００は、各種部品などを分離させることなく各々を接着・固定させる接着部材いわゆる上記接着剤を備える。接着剤として、例えば、一液性および／または二液性のエポキシ系樹脂、アクリル系樹脂、ウレタン系樹脂、メタクリル系樹脂などの樹脂／重合体が挙げられる。例えば一液性および／または二液性接着剤を構成する重合体／主剤として、前記樹脂群から選択される樹脂／重合体のうちの何れか一種が用いられる。なお、エポキシ系樹脂、ウレタン系樹脂、熱硬化性アクリル樹脂などは、例えば熱硬化性樹脂／重合体とされる。また、二液性重合体の主剤に対する硬化剤として、例えば、ポリチオール等や、ポリアミドアミン、変性ポリアミン、三級アミン等のアミン系材料等の重合体が挙げられる。例えば二液性接着剤を構成する硬化剤として、前記重合体群から選択される重合体のうちの何れか一種が用いられる。一液性の重合体からなる接着剤は、例えば接着作業性などに優れ、二液性の重合体からなる接着剤は、例えば接着剤の価格特性などに優れる。【０１２０】
また、接着剤として、例えば光などの電子線が照射されることで硬化する特性を有する電子線硬化型接着剤も使用可能とされる。具体的に説明すると、接着剤として、紫外線が照射されることで硬化する特性を有する紫外線硬化型接着剤も使用可能とされる。より詳しく説明すると、接着剤として、紫外線が照射されることで硬化する特性を有すると共に熱硬化特性を有する紫外線硬化型接着剤も使用可能とされる。また、例えば熱硬化型接着剤と共に紫外線硬化型接着剤も併用可能とされる。紫外線硬化型接着剤に例えば波長約３５０〜３８０ｎｍの紫外線が照射されることで、紫外線硬化型接着剤は短時間で硬化する。電子線硬化型接着剤の一種とされる紫外線硬化型接着剤が用いられて接着が行われた。【０１２１】
接着剤について詳しく説明すると、接着剤として、例えば、一液性接着剤、二液性接着剤などが挙げられる。例えば一液性および／または二液性接着剤を構成する重合体／主剤として、エポキシ系重合体、変性アクリル系重合体、ポリウレタン系重合体、アクリル酸エステル系重合体、メタクリル酸エステル系重合体からなる群から選択される重合体のうちの少なくとも一種の重合体が用いられる。また、例えば硬化されたのちの一液性および／または二液性接着剤を構成する樹脂は、エポキシ系樹脂、変性アクリル系樹脂、ポリウレタン系樹脂、ポリアクリル系樹脂、ポリメタクリル系樹脂からなる群から選択される樹脂のうちの少なくとも一種の樹脂とされる。また、例えば二液性接着剤を構成する硬化剤として、ポリチオール、ポリアミドアミン、変性ポリアミン、三級アミンからなる群から選択される重合体のうちの少なくとも一種の重合体が用いられる。【０１２２】
また、例えば二液性の紫外線硬化型接着剤が用いられて接着工程が行われたものも使用可能とされる。二液性の紫外線硬化型接着剤として、例えば二液性エポキシ系の紫外線硬化型接着剤などが挙げられる。アクリル系接着剤、エポキシ系接着剤などの重合体系接着剤が用いられることにより、例えば高い振動成分等が吸収される。【０１２３】
具体的なエポキシ系接着剤として、例えば、スイス国ハンツマン（ハンツマン・アドバンスト・マテリアルズ）社製／ハンツマン・ジャパン社販売：アラルダイト（登録商標）２０１０−１、２０１２等が挙げられる。アラルダイト（登録商標）２０１０−１は、２３℃の温度条件下における粘度が略８００００ｍＰａｓ（ミリパスカル秒）とされ、速硬化性に優れる。また、例えばアラルダイト（登録商標）２０１２は、主剤ＡＷ２１０４と、硬化剤ＨＷ２９３４と、を有する二液性の接着剤とされ、また、２３℃の温度条件下における粘度が略２５０００〜３５０００ｍＰａｓとされ、汎用性、速硬化性に優れる。【０１２４】
また、具体的なポリウレタン系接着剤として、例えば、スイス国ハンツマン（ハンツマン・アドバンスト・マテリアルズ）社製／ハンツマン・ジャパン社販売：アラルダイト（登録商標）２０５５等が挙げられる。アラルダイト（登録商標）２０５５は、例えばチクソ性（ｔｈｉｘｏｔｒｏｐｙ）のものとされ、また、例えば引張りせん断強さが略９０００ｍＰａｓとされ、例えば隙間充填性などに優れる。チクソ性とは、例えば溶液状態から固体化する際に一部が固体化する固体液体共存状態において、撹拌されると見掛けの粘度が低下する現象を意味する。【０１２５】
また、具体的な変性アクリル系接着剤として、例えば、スイス国ハンツマン（ハンツマン・アドバンスト・マテリアルズ）社製／ハンツマン・ジャパン社販売：アラルダイト（登録商標）２０２１等が挙げられる。例えばアラルダイト（登録商標）２０２１は、主剤ＸＤ４６６１Ａと、硬化剤ＸＤ４６６１Ｄと、を有する二液性の接着剤とされ、また、２３℃の温度条件下における粘度が約６００００ｍＰａｓとされ、最低硬化時間が略１８分と短く他のアラルダイト（登録商標）よりも速硬化性に優れる。【０１２６】
また、接着剤として、例えば、スリーボンド社製：嫌気性強力封着剤などの嫌気性接着剤が挙げられる。嫌気性接着剤は、例えば空気に触れている間は硬化せず、空気を遮断することで硬化する接着剤とされている。また、スリーボンド社製：嫌気性強力封着剤は、紫外線硬化特性などの電子線硬化特性も併せて備えているので、例えば、はみ出された嫌気性接着剤に紫外線などの電子線を照射させることにより、はみ出された嫌気性接着剤が硬化する。嫌気性接着剤を構成する主成分として、例えば、（メタ）アクリル酸エステル、メタクリル酸エステル、メタクリル酸エステルモノマー等が挙げられる。【０１２７】
嫌気性接着剤とされるスリーボンド社製の１３００シリーズのものとして、例えば、スリーボンド（登録商標）１３５９Ｄ、スリーボンド（登録商標）１３７３Ｎ等が挙げられる。スリーボンド（登録商標）１３５９Ｄは、硬化前の主成分が（メタ）アクリル酸エステルとされ、例えば室温時における粘度が略１４０００ｍＰａｓであって速硬性とされ、紫外線硬化特性などの電子線硬化特性も有し、硬化されたのちにはポリアクリル樹脂となって、耐振動性、耐熱性、可とう性、面接着性などに優れる。また、スリーボンド（登録商標）１３７３Ｎは、硬化前の主成分がメタクリル酸エステルとされ、例えば室温時における粘度が略９０ｍＰａｓであって速硬性とされ、紫外線硬化特性などの電子線硬化特性も有し、硬化されたのちにはメタクリル樹脂となって、耐振動性、耐熱性、低温硬化性などに優れる。【０１２８】
また、接着剤として、例えば、スリーボンド社製：瞬間接着剤（ゴールドラベルシリーズ）が挙げられる。瞬間接着剤は、数秒から数十秒という「秒速」で被着材同士を固定させる接着剤とされている。瞬間接着剤とされるスリーボンド社製の７７００シリーズのものとして、例えば、スリーボンド（登録商標）７７４１等が挙げられる。スリーボンド（登録商標）７７４１は、主成分が２−シアノアクリル酸エチルとされ、例えば室温時における粘度が略２ｍＰａｓであって瞬間接着性に優れる。【０１２９】
また、電子線硬化型接着剤の一種とされる紫外線硬化型接着剤として、例えば、米国ＮＯＲＬＡＮＤ社製：光学ＵＶ接着剤ＮＯＡ６５，ＮＯＡ６８，ＮＯＡ７３，ＮＯＡ８３Ｈ等が挙げられる。光学ＵＶ接着剤ＮＯＡ６５，ＮＯＡ６８，ＮＯＡ７３，ＮＯＡ８３Ｈ等の紫外線硬化型接着剤は、アクリル系のものとされ、一液性の紫外線硬化型接着剤とされている。アクリル系の紫外線硬化型接着剤は、硬化時間が短く数秒単位で硬化可能なものとされている。「ＵＶ」とは、「ｕｌｔｒａｖｉｏｌｅｔ」を意味する。また、「ｕｌｔｒａｖｉｏｌｅｔ  ｒａｄｉａｔｉｏｎ」は、「紫外線」を意味する。紫外線硬化型接着剤は、ＵＶ硬化型接着剤などと呼ばれている。【０１３０】
ＮＯＲＬＡＮＤ社製：ＮＯＡ６５は、例えば室温時における粘度が略１０００〜１２００ｃｐｓ（シーピーエス／ｃｅｎｔｉｐｏｉｓｅ）とされ、柔軟性があり例えば精巧な部分に接着させることが可能とされる。なお、１ｃｐｓは、１ｍＰａｓとされる。また、ＮＯＲＬＡＮＤ社製：ＮＯＡ６８は、例えば室温時における粘度が略５０００ｃｐｓとされ、柔軟性があり例えば精巧な部分に接着させることが可能とされる。また、ＮＯＲＬＡＮＤ社製：ＮＯＡ７３は、例えば室温時における粘度が略１３０ｃｐｓとされ、柔軟性があり低粘度で例えば精巧な部分に薄く接着させることが可能とされている。また、ＮＯＲＬＡＮＤ社製：ＮＯＡ８３Ｈは、例えば室温時における粘度が略２５０ｃｐｓとされ、ＵＶ特性に加えて熱硬化特性も併せ持ち、例えば光が直接届かない部分への接着も可能とされている。【０１３１】
また、電子線硬化型接着剤の一種とされる紫外線硬化型接着剤として、例えば、米国ＥＭＩ社製：商品名「ＯＰＴＯＣＡＳＴ」シリーズのもの等が挙げられる。具体的な紫外線硬化型接着剤としては、米国ＥＭＩ社製：ＯＰＴＯＣＡＳＴ３４１５，ＯＰＴＯＣＡＳＴ３５０５−ＨＭ等が挙げられる。ＯＰＴＯＣＡＳＴ３４１５，ＯＰＴＯＣＡＳＴ３５０５−ＨＭ等の紫外線硬化型接着剤は、エポキシ系のものとされ、一液性の紫外線硬化型接着剤とされている。エポキシ系の紫外線硬化型接着剤は、低収縮性で高耐熱性のものとされ、耐薬品性、耐湿性に優れるものとされている。一液性の紫外線硬化型接着剤が用いられることにより、二液性の紫外線硬化型接着剤が使用されるときに行われる液と液との混合作業が不要となる。従って、接着剤の塗布工程は、迅速で効率的に行われる。【０１３２】
ＥＭＩ社製：ＯＰＴＯＣＡＳＴ３４１５は、例えば室温時における粘度が略１０００００ｃｐｓとされ、ＵＶ照射に加えて加熱されることで確実に硬化される。また、ＥＭＩ社製：ＯＰＴＯＣＡＳＴ３５０５−ＨＭは、例えば室温時における粘度が略３００〜５００ｃｐｓとされ、ＵＶ照射に加えて加熱されることで確実に硬化される。【０１３３】
また、接着工程が行われるときの接着剤の粘度は、例えば室温時の条件下、具体的には２３℃の温度条件下において、例えば略２ｍＰａｓ以上略１８００００ｍＰａｓ以下とされる。【０１３４】
室温時の条件下、具体的には２３℃の温度条件下における接着剤の粘度が略１８００００ｍＰａｓを超える高粘度とされた場合、接着剤塗布部に接着剤が略均一に行渡らないことが懸念される。【０１３５】
このようなことから、接着工程が行われるときの接着剤の粘度は、室温時の条件下、具体的には２３℃の温度条件下において、例えば略６００００ｍＰａｓ以下とされることが好ましい。より好ましくは、接着工程が行われるときに、室温時の条件下、具体的には２３℃の温度条件下における接着剤の粘度が例えば略１４０００ｍＰａｓ以下とされることにより、接着剤塗布部に接着剤が確実に広げられる。【０１３６】
また、室温時の条件下、具体的には２３℃の温度条件下における接着剤の粘度が略２ｍＰａｓ未満の低粘度とされた場合、接着剤塗布部から例えば接着剤の垂れ落ち発生等が懸念される。【０１３７】
好ましくは、接着工程が行われるときに、室温時の条件下、具体的には２３℃の温度条件下における接着剤の粘度が例えば略２５０ｍＰａｓ以上とされることにより、例えば接着剤の垂れ落ち等が生じ難くなり、接着剤塗布部に接着剤が広く確実に留まる。【０１３８】
より好ましくは、接着工程が行われるときに、室温時の条件下、具体的には２３℃の温度条件下における接着剤の粘度が例えば略１０００ｍＰａｓ以上とされることにより、例えば接着剤の垂れ落ち発生等が防止され易くなり、接着剤塗布部に接着剤がより確実に留まる。【０１３９】
ハウジング１１０の回折格子用ホルダ１２０の収容室１２９内に、回折格子１０と、回折格子用ばね３０と、を装備させ、次に、回折格子１０の取付位置を調整させた後に、回折格子１０の一対の上端面部１１ａ，１４ａと、回折格子用ばね３０の一対の折返し曲げ部３１ｂ，３２ｂと、回折格子用ホルダ１２０の一対の上端面部１２１，１２２と、に、電子線硬化型接着剤の一種とされる紫外線硬化型接着剤を塗布させ、その後、電子線硬化型接着剤の一種とされる紫外線硬化型接着剤に、電子線の一種とされる紫外線を照射させて接着剤を固化させる。これにより、ハウジング１１０の回折格子用ホルダ１２０の収容室１２９内に、回折格子１０と、回折格子用ばね３０と、が、精度よく弾性保持／固定される。【０１４０】
次に、回折格子１０の先に位置する代表的な光学部材について説明すると、ＯＰＵ１００を構成する光学部材１３１，１３２として、光ディスクＭ等のメディアＭの信号面部Ｍａに対してレーザ光（図示せず）を集光させる略凸状のＯＢＬ１３１，１３２が用いられている。このように例えば二つ以上の複数のＯＢＬ１３１，１３２を備えるＯＰＵ１００が構成されている。具体的に説明すると、例えば波長が略７６５〜８４０ｎｍの第一レーザ波長光および波長が略６３０〜６８５ｎｍの第二レーザ波長光に対応した開口数略０．６〜０．６６のＯＢＬ１３２と、波長が略３４０〜４５０ｎｍの第三レーザ波長光に対応した開口数略０．８５のＯＢＬ１３１と、を備えるＯＰＵ１００が構成されている。開口数とは、例えば光学器械で対物レンズの有効半径（入射ひとみの半径）を物点から見る角の正弦と、入射側の媒質の屈折率との積をいう。開口数（Ｎｕｍｅｒｉｃａｌ  Ａｐｅｒｔｕｒｅ）は、「ＮＡ」と省略される。開口数は、対物レンズの性能を表すときに用いられる。【０１４１】
このＯＰＵ１００は、レーザ光を絞らせて光ディスクＭの信号層Ｍａに集光スポットを照射・形成させる一対のＯＢＬ１３１，１３２を備える。ＯＢＬ１３１は、例えばＯＰＵ１００の内部側に略凸状の曲面部が設けられた凸レンズとして形成されている。ＯＢＬ１３１の上側の面部１３１ｂは、例えば略平面状に形成されているが、ＯＢＬ１３１の上側の面部１３１ｂは、例えば略凸状に形成されていてもよく、また、略凹状に形成されていてもよい。また、ＯＢＬ１３２は、例えばＯＰＵ１００の内部側に略凸状の曲面部が設けられた凸レンズとして形成されている。ＯＢＬ１３２の上側の面部１３２ｂは、例えば略平面状に形成されているが、ＯＢＬ１３２の上側の面部１３２ｂは、例えば略凸状に形成されていてもよく、また、略凹状に形成されていてもよい。【０１４２】
ＯＰＵ１００のアクチュエータ１９０を用いてＯＰＵ１００のＯＢＬ１３１，１３２を上下／左右動させることにより、光ディスクＭの信号層Ｍａにレーザ光の焦点が合わせられる。詳しく説明すると、光ディスクＭの信号層Ｍａに精度の高いレーザスポットを照射形成させるときに、ＯＰＵ１００のアクチュエータ１９０により、レンズホルダ１４０に装備されたＯＢＬ１３１，１３２が、フォーカシング方向Ｄ１、トラッキング方向Ｄ２、並びに必要に応じてチルト方向Ｄ４等に略沿って動かされる。このＯＰＵ１００は、ＯＢＬ１３１，１３２によるレーザ光の焦点合せが行われるときに、フォーカシング調整と、トラッキング調整と、必要に応じてチルト調整と、を実行する。また、フォーカシング調整と、トラッキング調整と、チルト調整と、は、例えば略同時に実行される。【０１４３】
フォーカスとは、例えば焦点やピントを意味する。また、フォーカシングとは、焦点を合わせることや、焦点が合わせられることを意味する。また、トラックとは、例えば光ディスクＭにおける信号の軌道を意味する。また、トラッキングとは、光を用いて、光ディスクＭの信号面部Ｍａに設けられた微小信号部を追跡観測し、略螺旋状に描かれた軌道の位置を定めることを意味する。また、光ディスク装置または光ピックアップ装置におけるチルトとは、ディスク面と対物レンズ光軸との角度ずれを意味する。【０１４４】
例えば、光ディスクＭに対し、ＯＢＬ１３１，１３２が装着されたレンズホルダ１４０を備えるレンズ・ホルダ組立体１９３のフォーカスサーボが行われるときに、ＯＢＬ１３１，１３２が装着されたレンズホルダ１４０を備えるレンズ・ホルダ組立体１９３は、上下方向Ｄ１に沿って動かされる。また、光ディスクＭに対し、ＯＢＬ１３１，１３２が装着されたレンズホルダ１４０を備えるレンズ・ホルダ組立体１９３のトラッキングサーボが行われるときに、ＯＢＬ１３１，１３２が装着されたレンズホルダ１４０を備えるレンズ・ホルダ組立体１９３は、例えば光ディスクＭの略螺旋状トラック（図示せず）の線方向に対し左右方向Ｄ２に沿って動かされる。サーボもしくはサーボ機構とは、制御の対象とされるものの状態を測定し、測定したものと基準値とを比較して、自動的に修正制御を行わせる機構のものを意味する。ＯＢＬ１３１，１３２によって絞られたレーザ光の焦点が光ディスクＭの信号層Ｍａに合わせられるときに、ＯＢＬ１３１，１３２が装備されたレンズホルダ１４０を含むレンズ・ホルダ組立体１９３は、アクチュエータ１９０により上下左右等に駆動させられる。【０１４５】
なお、図１，図２，図９に示すＯＰＵ１００においては、光ディスクＭの一半径方向Ｄ２に略沿った方向とされるトラッキング方向Ｄ２に略沿って、レンズホルダ１４０に一対のＯＢＬ１３１，１３２が並設されているが、光ディスク装置１、ＯＰＵ１００等の設計／仕様等により、例えば、ＯＢＬ１３１，１３２の光軸方向Ｄ１に略沿った方向とされるフォーカス方向Ｄ１と、光ディスクＭの一半径方向Ｄ２に略沿った方向とされるトラッキング方向Ｄ２と、に直交する方向とされるタンジェンシャル方向Ｄ３に略沿って、レンズホルダ１４０に一対のＯＢＬ１３１，１３２が並設されていてもよい。また、複数のＯＢＬ１３１，１３２とされることなく一つのＯＢＬがレンズホルダ１４０に装備されてもよい。【０１４６】
また、ＯＰＵ１００を構成する光学部材保持部材１４０として、複数のＯＢＬ１３１，１３２と、複数のコイル１５１，１５１，１５２，１５２，１５３，１５３と、複数のサスペンションワイヤ１６０／１６１，１６２，１６３，１６４，１６５，１６６と、が備えられて、レンズ・ホルダ組立体１９３を構成させるレンズホルダ１４０が用いられている。【０１４７】
このＯＰＵ１００は、略矩形平板状の一枚の天壁１４１と、天壁１４１に略直交する略矩形平板状の四枚の側壁１４２，１４３，１４４，１４５と、を有し、二つのＯＢＬ１３１，１３２が略矩形平板状の天壁１４１に装着される略矩形箱状をした２ピース構造の合成樹脂製のレンズホルダ１４０を備える。例えば、略矩形平板状の前後一対の両側壁１４２，１４５が略平行に向かい合わせられると共に、略矩形平板状の左右一対の両側壁１４３，１４４が略平行に向かい合わせられ、且つ、前後一対の両側壁１４２，１４５に対して左右一対の両側壁１４３，１４４が略直交して位置し、さらに、各側壁１４２，１４３，１４４，１４５に略直交する略矩形平板状の一枚の天壁１４１が各側壁１４２，１４３，１４４，１４５の上側に位置することで、略矩形箱状をしたレンズホルダ１４０が構成される。【０１４８】
また、ＯＰＵ１００を構成するコイル１５１，１５２，１５３として、電気が流されることによりレンズ・ホルダ組立体１９３を各方向Ｄ１，Ｄ２，Ｄ４に略沿って駆動させるフォーカス／チルトコイル１５１，１５２並びにトラッキングコイル１５３が用いられている。【０１４９】
このＯＰＵ１００は、複数のＯＢＬ１３１，１３２を有するレンズホルダ１４０を駆動させるための差動アクチュエータ１９０を構成し、略矩形箱状をしたレンズホルダ１４０の互いに向かい合う略矩形横長平板状の両側壁１４２，１４５の略両端部１４６，１４７に前後左右一対ずつ装着され、複数のＯＢＬ１３１，１３２を有するレンズホルダ１４０をＯＢＬ１３１，１３２の光軸方向Ｄ１に略沿って駆動させたり揺動方向Ｄ４に略沿って駆動させたりする略矩形環状の第一フォーカス／チルトコイル１５１および略矩形環状の第一フォーカス／チルトコイル１５１に略並設された略矩形環状の第二フォーカス／チルトコイル１５２を備える。例えば従来のフォーカスコイルと従来のチルトコイルとが一体化されて例えば従来のフォーカスコイルの機能と従来のチルトコイルの機能とを併せもつ第一フォーカス／チルトコイル１５１が構成されている。また、例えば従来のフォーカスコイルと従来のチルトコイルとが一体化されて例えば従来のフォーカスコイルの機能と従来のチルトコイルの機能とを併せもつ第二フォーカス／チルトコイル１５２が構成されている。【０１５０】
また、このＯＰＵ１００は、複数のＯＢＬ１３１，１３２を有するレンズホルダ１４０を駆動させるための差動アクチュエータ１９０を構成し、略矩形箱状をしたレンズホルダ１４０の略矩形横長平板状側壁１４２，１４５の略中央部１４８に前後一対装着されて、略矩形環状の第一フォーカス／チルトコイル１５１と、略矩形環状の第二フォーカス／チルトコイル１５２との間に略並設され、複数のＯＢＬ１３１，１３２を有するレンズホルダ１４０を光ディスクＭの半径方向Ｄ２に略沿って駆動させる略矩形環状のトラッキングコイル１５３を備える。【０１５１】
また、ＯＰＵ１００を構成し光学部材１３１，１３２を含むレンズ・ホルダ組立体１９３を例えば中空状態で移動可能に支える支持部材１６１，１６２，１６３，１６４，１６５，１６６として、例えば略線状をした細径のサスペンションワイヤ１６１，１６２，１６３，１６４，１６５，１６６が用いられている。【０１５２】
このＯＰＵ１００は、略矩形箱状をしたレンズ・ホルダ組立体１９３に装備され、レンズ・ホルダ組立体１９３を弾性支持する複数の略線状をした弾性支持部材１６１，１６２，１６３，１６４，１６５，１６６いわゆる略線状をしたサスペンションワイヤ１６１，１６２，１６３，１６４，１６５，１６６を備える。例えば、ＯＰＵ１００を構成する略線状の各サスペンションワイヤ１６１，１６２，１６３，１６４，１６５，１６６は、ＯＢＬ１３１，１３２の光軸方向Ｄ１に略沿った方向とされるフォーカス方向Ｄ１と、光ディスクＭの一半径方向Ｄ２に略沿った方向とされるトラッキング方向Ｄ２と、に直交する方向とされるタンジェンシャル方向Ｄ３に略沿って延設される。例えば光ディスクＭの回動位置等により、タンジェンシャル方向Ｄ３は、光ディスクＭの他の半径方向Ｄ３とされる。ＯＰＵ１００のレンズ・ホルダ組立体１９３に装備された左右六本のサスペンションワイヤ１６１，１６２，１６３，１６４，１６５，１６６のうちの少なくとも左右四本好ましくは左右六本のサスペンションワイヤ１６１，１６２，１６３，１６４，１６５，１６６に、駆動信号、制御信号等とされる電気が流されることにより、ＯＰＵ１００のレンズ・ホルダ組立体１９３に装備されて各サスペンションワイヤ１６１，１６２，１６３，１６４，１６５，１６６に通電可能に接続された少なくとも四個のコイル好ましくは六個のコイル１５１，１５１，１５２，１５２，１５３，１５３に、駆動信号、制御信号等とされる電気が流される。【０１５３】
また、ＯＰＵ１００を構成する磁性部材１７１，１７６として、例えば自ら磁気／磁力を生じる略直方体状のマグネットいわゆる磁石１７１，１７６が用いられている。【０１５４】
例えば、一面部１７２側の一方部１７３ａ側に正極部１７４ａが形成されると共に、一面部１７２側の他方部１７３ｂ側に負極部１７４ｂが形成された二極一個の駆動用磁石１７１が用いられる。また、例えば、一面部１７７側の一方部１７８ａ側に正極部１７９ａが形成されると共に、一面部１７７側の他方部１７８ｂ側に負極部１７９ｂが形成された二極一個の駆動用磁石１７６が用いられる。なお、磁石１７１，１７６の取付構造、ＯＰＵ１００の設計／仕様等により、例えば磁性部材１７１，１７６として、一極／二極マグネットや、二極以上着磁された多極着磁マグネットが用いられてもよい。【０１５５】
また、ＯＰＵ１００を構成する固定部材１８０として、例えば磁性部材１７１，１７６等が装着される複雑な構造のフレーム／ヨーク１８０が用いられている。フレーム／ヨーク１８０は、基壁部１８２と、基壁部１８２に対し略直角に曲げられて延長形成された一対の側壁部１８３，１８４と、一対の側壁部１８３，１８４に対し略直角に曲げられて延長形成されると共に基壁部１８２に対し略平行に形成された天壁部１８１と、を備えて構成され、略直方体状の各磁石１７１，１７６を囲む構造とされている。【０１５６】
このＯＰＵ１００は、少なくとも二つ好ましく四つより好ましくは六つの略矩形平板状磁石１７１，１７６が装備される固定部材１８０たとえばフレーム／ヨーク１８０を備える。固定部材１８０は、例えばフレーム・ヨーク１８０として構成されている。フレーム（ｆｒａｍｅ）とは、例えば、枠や、枠組みや、骨組みを意味する。また、ヨーク（ｙｏｋｅ）とは、例えば、磁気的な連結を構造的に支持したものを意味する。また、ヨークは、磁石（マグネット）などの磁性部材から生じる磁力の漏れを少なくさせるものとされている。フレーム・ヨークは、ヨークとしての機能を備えたフレームとして形成されている。ここではフレーム／ヨーク１８０として磁石１７１，１７６が装備される例えば磁気連結部材、バックヨークが用いられる。例えば、磁気連結部材、バックヨークは、フレーム／ヨーク６０として取り扱われる。【０１５７】
また、このＯＰＵ１００は、光ディスクＭの信号層Ｍａから反射されたレーザ光を受光する受光素子いわゆる光検出器またはＰＤＩＣ（ｐｈｏｔｏ  ｄｉｏｄｅ  ＩＣ）もしくはフォトディテクタ（ＰＤ：ｐｈｏｔｏ  ｄｅｔｅｃｔｏｒ）（図示せず）を備える。不図示のＰＤは、例えば四分割タイプ等の複数分割された回折格子１０を透過したメインビーム（０次光）に対応する平面視略矩形のメイン受光部（図示せず）と、回折格子１０を透過することで回折分岐された一対のサブビーム（±１次回折光束）に対応する一対の平面視略矩形のサブ受光部（図示せず）との三つの受光部を少なくとも備えて構成される。平面視略矩形のメイン受光部は、略均等に四分割されて平面視略矩形の四つのセグメントを備える。また、平面視略矩形のサブ受光部は、略均等に四分割されて平面視略矩形の四つのセグメントを備える。このように、複数の平面視略矩形のセグメントを備えた複数分割タイプの各受光部を有するＰＤがＯＰＵ１００に装備される。セグメント（ｓｅｇｍｅｎｔ）とは、例えば、部分、断片など、全体が幾つかに分割されたもののうちの一つを意味する。【０１５８】
ＰＤは、光ディスクＭの信号層Ｍａから反射されたレーザ光を受けて、その信号を電気信号に変え、光ディスクＭの信号層Ｍａに記録されたデータ、情報、信号を検出するためのものとされている。また、ＰＤは、光ディスクＭの信号層Ｍａから反射されたレーザ光を受けて、その信号を電気信号に変え、ＯＰＵ１００を構成するＯＢＬ１３１，１３２付レンズホルダ１４０を含んだレンズ・ホルダ組立体１９３のサーボ機構を動作させるためのものとされている。ＯＰＵ１００により、例えば、光ディスクＭに記録されたデータ／情報／信号が読み出されたり、光ディスクＭにデータ／情報／信号が書き込まれたり、光ディスクＭに記録されたデータ／情報／信号が消されたりするときに、ＰＤの各受光部に各レーザ光が照射されることにより、光ディスクＭのメイン情報信号、光ディスクＭに対するフォーカスエラー信号、トラッキングエラー信号などが検出される。【０１５９】
また、このＯＰＵ１００は、例えばサスペンションワイヤ１６１，１６２，１６３，１６４，１６５，１６６に生じる異常振動などを抑制させる例えば略ゲル状のダンピング材（図示せず）ならびにダンピング材を保持するダンピング保持部材１９７を備える。フレーム／ヨーク１８０の後側に装着されたダンピング保持部材１９７の各孔（図示せず）に、各サスペンションワイヤ１６１，１６２，１６３，１６４，１６５，１６６が挿通される。また、サスペンションワイヤ１６１，１６２，１６３，１６４，１６５，１６６が挿通されたダンピング保持部材１９７の不図示の孔には、例えば柔軟性に富んだ合成重合体製のダンピング材いわゆるダンプ剤が充填される。【０１６０】
また、このＯＰＵ１００は、各サスペンションワイヤ１６１，１６２，１６３，１６４，１６５，１６６が通電可能に接続されて取り付けられる回路基板１９９を備える。回路基板は、例えば、ＰＷＢ（ｐｒｉｎｔｅｄ  ｗｉｒｅｄ  ｂｏａｒｄ／ｐｒｉｎｔｅｄ  ｗｉｒｉｎｇ  ｂｏａｒｄ）等と呼ばれている。【０１６１】
また、光ディスク装置１、ＯＰＵ１００等の設計／仕様等により、このＯＰＵ１００は、ＯＰＵ１００の各種部品を保護する被覆部材（図示せず）例えば被覆板を備える。ＯＰＵ１００が組み立てられるときに、ＯＰＵ１００の上側に、例えば各種部品を保護する不図示の被覆板が備えられる。【０１６２】
また、このＯＰＵ１００は、各種光学系部品、電気系部品、駆動系部品などが装備されるハウジング１１０（図１，図２）を備える。ハウジング（ｈｏｕｓｉｎｇ）とは、例えば、装置、部品などの物が収容される箱、箱形のものや、箱に類似したものを意味する。【０１６３】
ハウジング１１０に装備される光学系部品として、例えば、レーザダイオード（ＬＤ）、１／２波長板（１／２λ板）、開口制限付広帯域１／４波長板（１／４λ板）、液晶補正素子（ＬＣＤ：ｌｉｑｕｉｄ  ｃｒｙｓｔａｌ  ｄｅｖｉｃｅ／ｌｉｑｕｉｄ  ｃｒｙｓｔａｌ  ｄｉｓｐｌａｙ）、回折光学素子（ＤＯＥ：ｄｉｆｆｒａｃｔｉｖｅ  ｏｐｔｉｃａｌ  ｅｌｅｍｅｎｔ）、回折格子（インライン・グレーティング）、ダイバージェントレンズ、プリズム、偏光ビームスプリッタ、ダイクロイックフィルタ、コリメータレンズ、ビームエキスパンダレンズ、ハーフミラー、レフレクトミラー、全反射ミラー、対物レンズ、フロントモニタダイオード、センサレンズ、アナモフィックレンズ、中間レンズ、フォトディテクタなどが挙げられる。このＯＰＵ１００は、前記光学系部品を備える。【０１６４】
また、ハウジング１１０に装備される電気系部品として、例えば、プリント基板、記憶装置（ＲＯＭ：ｒｅａｄ−ｏｎｌｙ  ｍｅｍｏｒｙ）、サスペンションワイヤ、コイル、アクチュエータ、フレキシブルプリント回路体、コネクタ、レーザドライバ、レーザダイオード、液晶補正素子、コリメータレンズ等を備えるビームエキスパンダユニット、フロントモニタダイオード、フォトディテクタなどが挙げられる。このＯＰＵ１００は、前記電気系部品を備える。【０１６５】
また、ハウジング１１０に装備される駆動系部品として、たとえば、サスペンションワイヤ、コイル、磁石、ヨーク、アクチュエータ、対物レンズ、レンズホルダ、コリメータレンズ等を備えるビームエキスパンダユニットなどが挙げられる。このＯＰＵ１００は、前記駆動系部品を備える。【０１６６】
ＯＰＵ１００を構成する各種光学系部品、電気系部品、駆動系部品などの各種部品は、ハウジング１１０に装備される。ハウジング１１０は、各種光学系部品、電気系部品、駆動系部品などの各種部品が装備されるハウジング本体１１５と、ハウジング本体１１５から突設され第一の軸部材とされる第一の支持体９１と移動可能に合わせられる一対の主軸用の軸受部１１１ａ，１１１ｂと、主軸用の軸受部１１１ａ，１１１ｂに対し反対側に向けてハウジング本体１１５から突設され第二の軸部材とされる第二の支持体９２と移動可能に合わせられる副軸用の軸受部１１２と、を備えて形成されている。主軸用の軸受部１１１ａ，１１１ｂと、副軸用の軸受部１１２と、は、ハウジング本体１１５と一体成形されている。主軸用の軸受部１１１ａ，１１１ｂと、副軸用の軸受部１１２と、ハウジング本体１１５と、は、一つのものとして形成される。【０１６７】
略丸棒状の支持体９１，９２の長手方向Ｄ２に略沿ってＯＰＵ１００が移動する時に、略丸孔状の第一の軸受部１１１ａと、略丸棒状の第一の支持体９１と、が摺接する。又、略丸棒状の支持体９１，９２の長手方向Ｄ２に略沿ってＯＰＵ１００が移動するときに、略丸孔状の第二の軸受部１１１ｂと、略丸棒状の第一の支持体９１と、が摺接する。又、略丸棒状の支持体９１，９２の長手方向Ｄ２に略沿ってＯＰＵ１００が移動するときに、横倒し状の略Ｕ字状滑り軸受構造をした第三の軸受部１１２と、略丸棒状の第二の支持体９２と、が摺接する。略丸棒状の支持体９１，９２の長手方向Ｄ２は、光ディスクＭの内周側から外周側にかけたＯＰＵ１００の移動方向Ｄ２、及び／又は、光ディスクＭの外周側から内周側にかけたＯＰＵ１００の移動方向Ｄ２とされている。【０１６８】
支持体９１，９２は、ＯＰＵ１００のハウジング１１０の軸受部１１１ａ，１１１ｂ，１１２に対して摺接可能な例えばスライドシャフト９１，９２として形成されている。支持体９１，９２は、耐食性に優れ、例えば、「ＪＩＳ  Ｇ  ４３０４」に基づいて定められた「熱間仕上ステンレス鋼棒」、「ＪＩＳ  Ｇ  ４３１８」に基づいて定められた「冷間成形ステンレス鋼棒」等が用いられて形成されている。また、軸受部１１１ａ，１１１ｂ，１１２は、スライドシャフト９１，９２に対して摺接可能な例えば摺動部１１１ａ，１１１ｂ，１１２として形成されている。【０１６９】
ＯＰＵ１００は、ハウジング１１０の第一の摺動部１１１ａと、第二の摺動部１１１ｂと、第三の摺動部１１２とにより、一対のスライドシャフト９１，９２上に安定した略三点構造で移動可能に支持される。ＯＰＵ１００は、ハウジング１１０の第一の摺動部１１１ａと、第二の摺動部１１１ｂと、第三の摺動部１１２との主な三点によって、一対のスライドシャフト９１，９２上に移動可能に支持されるので、例えば四点支持構造のＯＰＵ（図示せず）よりも摩擦が減らされる。【０１７０】
また、第三の摺動部１１２は、開口された横倒し状の略Ｕ字状滑り軸受構造を構成するものとされているので、例えば副軸とされるスライドシャフト９２へのＯＰＵ１００の組付け作業が容易に行われる。また、第三の摺動部１１２は、開口された横倒し状の略Ｕ字状滑り軸受構造を構成するものとされているので、例えば主軸とされる第一のスライドシャフト９１に対し、副軸とされる第二のスライドシャフト９２の平行度等の僅かな誤差は、開口された横倒し状の略Ｕ字状滑り軸受構造の第三の摺動部１１２により吸収される。【０１７１】
ＯＰＵ１００は、上記ＯＢＬ１３１，１３２、上記コイル１５１，１５１，１５２，１５２，１５３，１５３を有する上記レンズ・ホルダ組立体１９３と、上記サスペンションワイヤ１６１，１６２，１６３，１６４，１６５，１６６と、上記磁石１７１，１７６と、上記フレーム／ヨーク１８０と、を備えて構成されている。ＯＰＵ１００は、上記各種部品以外の他の部品等も備えて構成されるが、ここでは他の部品等の詳細な説明を省略する。【０１７２】
トラバースメカ５を構成するピックアップ装置主体部組立体７は、略平板状のシャーシ８０と、略平板状のシャーシ８０に取り付けられた一対の長尺丸棒状のスライドシャフト９１，９２と、一対の長尺丸棒状のスライドシャフト９１，９２に移動可能に装備されたＯＰＵ１００と、を備えて構成されている。また、ＯＰＵ１００は、ディスクＭの信号面部Ｍａにレーザ光などの光の焦点を合わせた状態で光を照射させる一対のＯＢＬ１３１，１３２を備えて構成されている。【０１７３】
接着剤等が用いられて、光ピックアップ装置主体部組立体７を構成する略平板状のシャーシ８０に、回動モータ主体部組立体５０を構成する略平板状の回路基板６０が備えられ、且つ、一対の略丸棒状のスライドシャフト９１，９２が略平板状のシャーシ８０に備えられることにより、精度が高く各部の位置ずれが生じ難いトラバースメカ５、トラバースメカ５を備える光ディスク装置１等が構成される。【０１７４】
上記ＯＰＵ１００、上記トラバースメカ５を備える光ディスク装置１は、上記各種光ディスクＭにデータ、情報、信号等を記録させたり、上記各種光ディスクＭのデータ、情報、信号等を再生させたり、上記各種光ディスクＭのデータ、情報、信号等を消去させたりする例えば記録・再生装置に使用可能とされる。また、上記ＯＰＵ１００、上記トラバースメカ５を備える光ディスク装置１は、上記各種光ディスクＭのデータ、情報、信号等を再生させる例えば再生専用装置にも使用可能とされる。【０１７５】
また、上記二つのＯＢＬ１３１，１３２が装備されたＯＰＵ１００に代えて、例えば一つのＯＢＬ１３１又は１３２が装備されたＯＰＵが用いられてもよい。【０１７６】
光ディスク装置１内にディスクＭが装備される状態について説明すると、光ディスク装置１の光ディスク装置本体２に対して出し入れ可能なトレー（図示せず）が用いられて、光ディスク装置１の光ディスク装置本体２内にディスクＭが備えられる。【０１７７】
光ディスク装置１（図１，図２，図９）は、光ディスクＭが装備可能とされると共に光ディスク装置本体２に対して出し入れ可能なトレー（図示せず）と、ターンテーブル７３（図２，図９）とターンテーブル７３に対向するクランパ（図示せず）とを有し光ディスクＭを挟み込んで固定可能なクランプ装置と、ターンテーブル７３を含み光ディスクＭを回転駆動させるドライブ装置４０と、光ディスクＭにレーザ光を照射させるＯＰＵ１００と、光ディスクＭの一半径方向Ｄ２に沿ってＯＰＵ１００を移動させるときにＯＰＵ１００を移動可能に支持する一対のスライドシャフト９１，９２と、を備えて構成されている。【０１７８】
光ディスク装置１を構成する略矩形箱状の筐体３（図９）いわゆるカバー３に対し、出入り自在とされた略板状のトレーが用いられて、光ディスク装置１内に光ディスクＭが収容される。また、光ディスク装置１を構成するカバー３内に、光ディスクＭを回転させるドライブ装置４０（図２，図９）が収納されている。ドライブ装置４０として、光ディスクＭが装備される略丸板状をしたターンテーブル７３を有するディスクドライブ装置４０が用いられている。また、光ディスクＭのデータ／情報／信号を読み取ったり、光ディスクＭにデータ／情報／信号を記録させたり、光ディスクＭのデータ／情報／信号を消去させたりするＯＰＵ１００が、光ディスク装置１を構成するカバー３内に装備されている。各種部品が装備された下側のカバー３に上側のカバー（図示せず）が装着されて、光ディスク装置１が組み立てられる。【０１７９】
ターンテーブル７３とターンテーブル７３に対向するクランパとを備えたクランプ装置が用いられて、ターンテーブル７３とクランパとの間に、中心部Ｍｃに丸孔Ｍｂが形成された光ディスクＭが、位置決めされた状態で確実に挟み込まれて着脱自在に固定される。【０１８０】
この光ディスク装置１は、例えばデスクトップ型パーソナルコンピュータ（ＰＣ：Ｐｅｒｓｏｎａｌ  Ｃｏｍｐｕｔｅｒ）用のＯＰＵ１００を備えるデスクトップ型ＰＣ用の光ディスク装置１とされている。また、この光ディスク装置１は、上記各種部品以外の他の部品等も備えて構成されるが、ここでは他の部品等の詳細な説明を省略する。
【実施例２】
【０１８１】
次に、本発明に係る弾性部材、光学素子の取付構造、並びに、それを備えるピックアップ装置の第二の実施形態を図面に基づいて詳細に説明する。【０１８２】
図１〜図９に示す弾性部材３０、光学素子１０の取付構造、並びに、それを備えるピックアップ装置１００、ディスク装置１に対し、図１０〜図１６に示す弾性部材３０、光学素子１０Ｘの取付構造、並びに、それを備えるピックアップ装置１００Ｘ、ディスク装置は、一部が異なる。なお、第一の実施形態における弾性部材３０と、第二の実施形態における弾性部材３０と、は、同じものが用いられている。第二の実施形態において、第一の実施形態にて説明したものと同一のものについては、同一の符号を付し、その詳細な説明を省略した。【０１８３】
このピックアップ装置１００Ｘは、上記各種波長のレーザ光に対応した一つの対物レンズ１３３を備えている。【０１８４】
また、この光学素子１０Ｘの取付構造は、光学素子１０Ｘ（図１１，図１２，図１３）と、光学素子１０Ｘが装備される保持部材２０と、光学素子１０Ｘが備えられた保持部材２０を装備させるときに用いられる弾性部材３０（図３，図４，図１４）と、光学素子１０Ｘ、保持部材２０，２６（図１３）および弾性部材３０が装備される保持部１２０Ｘ（図１４〜図１７）と、を備えて構成されている（図１４）。保持部１２０Ｘに弾性部材３０が圧入されると共に、弾性部材３０により保持部１２０Ｘに光学素子１０Ｘを備える保持部材２０，２６が備えられている。【０１８５】
また、光学素子１０Ｘは、光が透過可能な正面視略矩形板状に形成されている。また、光学素子１０Ｘに対応して、弾性部材３０は、光が通過可能な正面視略凹状に形成されている。【０１８６】
また、保持部１２０Ｘは、樹脂が用いられて形成されている。また、弾性部材３０は、金属が用いられて形成されている。【０１８７】
また、光学素子１０Ｘは、入射された光を複数に分ける回折格子１０Ｘとされている。ＬＤから出射された第一波長レーザ光および第二波長レーザ光は、４分割などの複数の領域部１１ｘ，１２ｘ，１３ｘ，１４ｘに分割された光学素子１０Ｘいわゆる回折格子１０Ｘによりメインビーム（０次光）と２つのサブビーム（±１次回折光束）との少なくとも３ビームに分けられる。【０１８８】
保持部１２０Ｘに光学素子１０Ｘが装備されるときに、光学素子１０Ｘを備える保持部材２０は、保持部１２０Ｘに共に装備された弾性部材３０により保持部１２０Ｘに備えられる。保持部１２０Ｘに弾性部材３０が圧入されるので、例えば保持部１２０Ｘに弾性部材３０と共に装備された光学素子１０Ｘを備える保持部材２０の取付位置が調整されるときに、弾性部材３０が不用意にずらされ、これに伴って例えば光学素子１０Ｘを備える保持部材２０の位置調整が不正確に行われるということは回避される。従って、保持部１２０Ｘに光学素子１０Ｘが備えられた保持部材２０を精度よく備えさせることができる。【０１８９】
この弾性部材３０は、光学素子１０Ｘが備えられた保持部材２０を保持部１２０Ｘに位置合せさせつつ装備させるときに用いられる弾性部材３０とされている。弾性部材基板部３３に保持部１２０Ｘに対して位置決め固定させる圧入固定部３６，３７が備えられている。【０１９０】
また、弾性部材基板部３３は、略板状に形成されている。また、圧入固定部３６，３７は、弾性部材基板部３３の正面視左右両側部３３Ｌ，３３Ｒに突出された突出部３６，３７とされている。【０１９１】
また、圧入固定部３６は、保持部１２０Ｘに対して弾性部材基板部３３を着脱自在に装備可能とさせる傾斜面部３６ａ，３６ｂを有する。また、圧入固定部３７は、保持部１２０Ｘに対して弾性部材基板部３３を着脱自在に装備可能とさせる傾斜面部３７ａ，３７ｂを有する。【０１９２】
また、光学素子１０Ｘを備える保持部材２０，２６および保持部１２０Ｘに対して復元弾性力を発生させる当接力発生部３１，３２が弾性部材基板部３３に延設されている。【０１９３】
また、弾性部材基板部３３に対し当接力発生部３１，３２が折り返されている。【０１９４】
また、この光学素子１０Ｘの取付構造においては、弾性部材３０として、上記形態をした弾性部材３０が用いられている。【０１９５】
保持部１２０Ｘに光学素子１０Ｘを備える保持部材２０が位置合せされつつ装備されるときに、光学素子１０Ｘを備える保持部材２０は、保持部１２０Ｘに装備された弾性部材３０により保持部１２０Ｘに備えられる。また、弾性部材基板部３３に保持部１２０Ｘに対して位置決め固定させる圧入固定部３６，３７が備えられているので、例えば保持部１２０Ｘに弾性部材３０と共に装備された光学素子１０Ｘを備える保持部材２０の取付位置が調整されるときに、弾性部材３０が不用意にずらされ、これに伴って例えば光学素子１０Ｘを備える保持部材２０の位置調整が不正確に行われるということは回避される。従って、保持部１２０Ｘに光学素子１０Ｘが備えられた保持部材２０を精度よく備えさせることができる。【０１９６】
また、弾性部材３０の弾性部材基板部３３の正面視左右両側部３３Ｌ，３３Ｒに突出部３６，３７が設けられることで、保持部１２０Ｘに弾性部材３０が装着されるときの横位置出しが可能で、且つ、光学素子１０Ｘを備える保持部材２０の位置調整により、光学素子１０Ｘを備える保持部材２０が初期取付位置から左右方向ＤＬＲに動かされた際の弾性部材３０の横ずれ発生が防止される。従って、結果的に常に光学素子１０Ｘを備える保持部材２０と弾性部材３０との接触位置が安定する。また、これに伴って、光学素子１０Ｘの取付構造における初期性能の安定性、信頼性等を改善することができる。【０１９７】
また、保持部１２０Ｘに対する弾性部材３０及び／又は回折格子１０Ｘを備える保持部材２０の装着時および修理時の着脱を考慮し、弾性部材３０を構成するばね基板部３３の正面視左右両側部３３Ｌ／３３Ｒの圧入固定部３６／３７に傾斜面部３６ａ，３６ｂ／３７ａ，３７ｂを形成させて、保持部１２０Ｘに対し弾性部材３０を着脱自在に容易に装着可能とさせている。【０１９８】
また、弾性部材３０を構成するばね基板部３３の正面視左右両側部３３Ｌ／３３Ｒの圧入固定部３６／３７に傾斜面部３６ａ，３６ｂ／３７ａ，３７ｂを形成させて、例えば略テーパ形状をした圧入固定部３６／３７をばね基板部３３の正面視左右両側部３３Ｌ／３３Ｒに設けることで、保持部１２０Ｘに弾性部材３０を装着するときに樹脂製保持部１２０Ｘに金属製ばね３０が食い込むこととなり、保持部１２０Ｘに対する弾性部材３０の位置ずれ防止効果も期待できる。【０１９９】
また、このピックアップ装置１００Ｘは、上記光学素子１０Ｘの取付構造を有する。【０２００】
上記光学素子１０Ｘの取付構造が構成されていれば、弾性部材３０により光学素子１０Ｘを備える保持部材２０が保持部１２０Ｘに精度よく位置調整されて備えられる。従って、光学特性に優れるピックアップ装置１００Ｘを構成させることができる。【０２０１】
弾性部材、光学素子の取付方法、並びに、ピックアップ装置の組立方法を含めて詳しく説明すると、光学素子１０Ｘの取付構造を有するＯＰＵ１００Ｘは、入射されたレーザ光を複数に分ける光学素子１０Ｘと、光学素子１０Ｘが装備される一方の保持部材２０と、一方の保持部材２０に装備される他方の保持部材２５と、光学素子１０Ｘが装備される一方の保持部材２０ならびに一方の保持部材２０に装備される他方の保持部材２５を精度よく位置合せさせつつハウジング１１０Ｘの光学素子ならびに保持部材用保持部１２０Ｘに装備させるときに用いられる光学素子ならびに保持部材用弾性部材３０と、光学素子１０Ｘおよび光学素子ならびに保持部材用弾性部材３０が挿入されて装備される収容部１２９Ｘを有する光学素子ならびに保持部材用保持部１２０Ｘと、を備えて構成されている。【０２０２】
光学素子１０Ｘは、入射されたレーザ光を複数に分けて出射させる正面視略矩形板状をした回折格子１０Ｘいわゆるグレーティングとして形成されている。詳しく説明すると、光学素子１０Ｘは、入射されたレーザ光を複数に分けて出射させる正面視略平行四辺形をした回折格子１０Ｘいわゆるグレーティングとして形成されている。また、光学素子ならびに保持部材用弾性部材３０として、回折格子ならびにホルダ用ばね３０が用いられている。また、光学素子ならびに保持部材用保持部１２０Ｘとして、回折格子ならびにホルダ用保持部１２０Ｘが用いられている。また、一方の保持部材２０を構成する第一保持部材２０として、第一ホルダ２０が用いられている。また、他方の保持部材２５を構成する第二保持部材２５として、第二ホルダ２６が用いられている。また、光学素子ならびに保持部材用保持部１２０Ｘを構成する収容部１２９Ｘとして、回折格子ならびにホルダ用保持部１２０Ｘを構成する正面視略凹状をした略矩形箱状の収容室１２９Ｘが用いられている。【０２０３】
回折格子ならびにホルダ用保持部１２０Ｘの収容室１２９Ｘに回折格子ならびにホルダ用ばね３０が着脱自在に圧入固定されると共に、回折格子ならびにホルダ用保持部１２０Ｘの収容室１２９Ｘに回折格子１０Ｘならびに第二ホルダ２６を備える第一ホルダ２０が装備されたときに回折格子ならびにホルダ用ばね３０の撓まされた弾性撓み片３１，３２に生じる復元弾性力により、回折格子ならびにホルダ用保持部１２０Ｘの収容室１２９Ｘ内に回折格子１０Ｘならびに第二ホルダ２６を備える第一ホルダ２０が左右方向ＤＬＲおよび／または上下方向ＤＤＵおよび／または回動方向に略沿って取付位置が調整可能な状態で精度よく弾性保持されて備えられる。【０２０４】
回折格子１０Ｘは、レーザ光が透過可能な透明もしくは半透明をした正面視略矩形板状に形成されている。また、回折格子１０Ｘに対応して、回折格子ならびにホルダ用ばね３０のばね基板部３３は、レーザ光が当てられることなく通過可能な正面視略凹状に形成されている。回折格子ならびにホルダ用ばね３０のばね基板部３３が略半長円状に切り欠かれて、回折格子ならびにホルダ用ばね３０のばね基板部３３に略半長円状のレーザ光透過部３５が形成されている。例えばレーザ光の光路において、ハウジング１１０Ｘの回折格子調整孔１１３に対応させると共に、回折格子ならびにホルダ用ばね３０の弾性撓み片３１，３２へのレーザ光の干渉を回避させ、さらに回折格子ならびにホルダ用ばね３０の著しい強度低下の発生を回避させるために、回折格子ならびにホルダ用ばね３０のばね基板部３３は、略半長円状に切り欠かれている。また、例えば撓まされた状態における弾性撓み片３１，３２へのレーザ光の干渉を回避させるために、回折格子ならびにホルダ用ばね３０が正面視されたときに、弾性撓み片３１，３２は、弾性撓み片３１，３２の根元に略相当する折返し曲げ部３１ｂ，３２ｂから略半円状の先端部３１ａ，３２ａにかけて次第に幅が狭められている。【０２０５】
また、回折格子１０Ｘに対応して、回折格子ならびにホルダ用保持部１２０Ｘは、レーザ光が当てられることなく通過可能な略凹状に形成されている。【０２０６】
また、回折格子ならびにホルダ用保持部１２０Ｘは、合成樹脂が用いられて形成されている。また、突出状圧入固定部３６，３７、弾性撓み片３１，３２、ばね基板部３３を備えた回折格子ならびにホルダ用ばね３０は、金属が用いられて形成されている。また、回折格子１０Ｘは、合成樹脂またはガラスが用いられて形成されている。【０２０７】
ＯＰＵ１００Ｘを構成し回折格子ならびにホルダ用保持部１２０Ｘを有するハウジング１１０Ｘは、例えば、機械的特性、摺動特性、寸法安定性、耐熱性、射出成形性、絶縁特性などの電気的特性などに優れ、さらに鉄材などよりも軽量化が可能とされるＰＰＳ樹脂等のＰＡＳ系樹脂を基材とした耐熱性の合成樹脂組成物が用いられて形成される。樹脂材料は、例えば鉄よりも比重が小さく軽量化に適した材料とされている。例えば、ＰＡＳ、ＰＰＳ等の合成樹脂材料は、一般に鋼系の金属材料よりも軟質なことから、ハウジング１１０の回折格子ならびにホルダ用保持部１２０Ｘに回折格子用ばね３０を装着するときに、樹脂製ハウジング１１０の回折格子ならびにホルダ用保持部１２０Ｘに、鋼系の金属製回折格子用ばね３０を構成するばね基板部３３の正面視左右両側部３３Ｌ／３３Ｒの突出部３６／３７が食い込むこととなる。【０２０８】
又は、ＯＰＵ１００Ｘを構成するハウジング１１０Ｘは、例えば、アルミニウム（Ａｌ）、マグネシウム（Ｍｇ）、亜鉛（Ｚｎ）からなる群から選択される少なくとも一種以上の元素を含有する非鉄金属、ダイカスト合金などの金属が用いられて形成される。アルミニウム、マグネシウム、亜鉛は、耐食性に優れたものとされ、鉄よりも比重の小さい非鉄金属とされている。例えばアルミニウムを主成分とするアルミニウム合金などの非鉄金属材料が用いられてハウジング１１０Ｘが形成される。例えば、アルミニウムを主成分とするアルミニウム合金などの非鉄金属材料は、一般に鋼系の金属材料よりも軟質なことから、ハウジング１１０Ｘの回折格子ならびにホルダ用保持部１２０Ｘに回折格子用ばね３０を装着するときに、アルミニウム製ハウジング１１０Ｘの回折格子ならびにホルダ用保持部１２０Ｘに、鋼製回折格子用ばね３０を構成するばね基板部３３の正面視左右両側部３３Ｌ／３３Ｒの突出部３６／３７が食い込むこととなる。【０２０９】
また、回折格子ならびにホルダ用ばね３０は、回折格子１０Ｘならびに第二ホルダ２６を備える第一ホルダ２０をハウジング１１０Ｘの回折格子ならびにホルダ用保持部１２０Ｘの収容室１２９Ｘ内に精度よく位置合せさせつつ装備させるときに用いられる回折格子ならびにホルダ用ばね３０として構成されている。回折格子ならびにホルダ用ばね３０を構成するばね基板部３３に回折格子ならびにホルダ用保持部１２０Ｘに対して位置決め固定させる圧入固定部３６，３７が備えられている。【０２１０】
また、回折格子ならびにホルダ用ばね３０のばね基板部３３は、正面視略矩形凹状をした略板状に形成されている。また、回折格子ならびにホルダ用ばね３０の圧入固定部３６，３７は、ばね基板部３３の正面視左右両側部３３Ｌ，３３Ｒに略台形状に突出された一対の突出部３６，３７として形成されている。【０２１１】
また、回折格子ならびにホルダ用ばね３０の圧入固定部３６／３７は、回折格子ならびにホルダ用保持部１２０Ｘに対して回折格子ならびにホルダ用ばね３０のばね基板部３３を容易に着脱自在に装備可能とさせる正面視左右／上下一対の緩やかなテーパ面部３６ａ，３６ｂ／３７ａ，３７ｂを有する突出部３６／３７として形成されている。【０２１２】
ばね基板部３３は、回折格子ならびにホルダ用保持部１２０Ｘの収容室１２９Ｘ内に回折格子１０Ｘならびに第二ホルダ２６を備える第一ホルダ２０を精度よく位置合せさせつつ装備させるとき、並びに、ＯＰＵ１００Ｘが組み立てられたのちに位置合わせされた回折格子１０Ｘならびに第二ホルダ２６を備える第一ホルダ２０に接するばね基板部３３とされている。また、回折格子１０Ｘならびに第二ホルダ２６を備える第一ホルダ２０および回折格子ならびにホルダ用保持部１２０Ｘに対して復元弾性力を発生させる一対の略舌片状をした弾性撓み片３１，３２が、ばね基板部３３に延設されている。【０２１３】
例えば、回折格子ならびにホルダ用ばね３０を構成する略平面板状の金属素材が曲げ部３１ｂ，３２ｂにて側面視略逆Ｖ字状に折り返されて、一対の略舌片状をした弾性撓み片３１，３２が、ばね基板部３３に対して例えば遠ざかる方向に略沿って延設されている。また、ばね基板部３３並びに弾性撓み片３１，３２を備える回折格子ならびにホルダ用ばね３０の弾性撓み片３１，３２が自然状態のときに、弾性撓み片３１／３２の略緩やかに曲げられた湾曲部３１ｃ／３２ｃから先の略長円状の先端部３１ａ／３２ａは、ばね基板部３３に対して略平行とされている。ばね基板部３３に対し一対の略舌片状をした弾性撓み片３１，３２が折り返し形成されて、回折格子ならびにホルダ用ばね３０は、例えば側面視裏返し状の略逆Ｊ字状に形成されている。回折格子１０Ｘにばね基板部３３が接し、回折格子ならびにホルダ用保持部１２０Ｘの収容室１２９Ｘ内に弾性撓み片３１／３２の略緩やかに曲げられた湾曲部３１ｃ／３２ｃが接する。【０２１４】
また、この回折格子１０Ｘの取付構造においては、上記板ばね３０として、上記形態をした回折格子ならびにホルダ用ばね３０が用いられている。【０２１５】
また、このＯＰＵ１００Ｘは、上記回折格子１０Ｘの取付構造を有する。【０２１６】
上記回折格子１０Ｘの取付構造が構成されていれば、回折格子ならびにホルダ用ばね３０により、回折格子１０Ｘならびに第二ホルダ２６を備える第一ホルダ２０は、ハウジング１１０Ｘの回折格子ならびにホルダ用保持部１２０Ｘに精度よく位置調整されて備えられる。従って、光学特性に優れるＯＰＵ１００Ｘが構成される。【０２１７】
ハウジング１１０Ｘの回折格子ならびにホルダ用保持部１２０Ｘの収容室１２９Ｘ内に回折格子１０Ｘならびに第二ホルダ２６を備える第一ホルダ２０が位置合せされつつ装備されるときに、回折格子１０Ｘならびに第二ホルダ２６を備える第一ホルダ２０は、ハウジング１１０Ｘの回折格子ならびにホルダ用保持部１２０Ｘの収容室１２９Ｘ内に共に装備された回折格子ならびにホルダ用ばね３０の撓まされた弾性撓み片３１，３２に生じる復元弾性力により、左右方向ＤＬＲおよび／または上下方向ＤＤＵおよび／または回動方向に略沿って取付位置が調整可能な状態でハウジング１１０Ｘの回折格子ならびにホルダ用保持部１２０Ｘの収容室１２９Ｘ内に精度よく弾性保持されて備えられる。また、回折格子ならびにホルダ用ばね３０を構成するばね基板部３３に回折格子ならびにホルダ用保持部１２０Ｘに対して位置決め固定させる圧入固定部３６，３７が備えられて、回折格子ならびにホルダ用保持部１２０Ｘの収容室１２９Ｘに回折格子ならびにホルダ用ばね３０が着脱自在に圧入固定されるので、例えばハウジング１１０Ｘの回折格子ならびにホルダ用保持部１２０Ｘの収容室１２９Ｘ内に回折格子ならびにホルダ用ばね３０と共に装備された回折格子１０Ｘならびに第二ホルダ２６を備える第一ホルダ２０の取付位置が左右方向ＤＬＲおよび／または上下方向ＤＤＵおよび／または回動方向に略沿って調整されるときに、回折格子ならびにホルダ用ばね３０がハウジング１１０Ｘの回折格子ならびにホルダ用保持部１２０Ｘの収容室１２９Ｘ内で不用意に左右方向ＤＬＲおよび／または上下方向ＤＤＵおよび／または回動方向に略沿ってずらされ、これに伴って例えば回折格子１０Ｘならびに第二ホルダ２６を備える第一ホルダ２０の位置調整が結果として不正確に行われるという不具合の発生は回避される。従って、ハウジング１１０Ｘの回折格子ならびにホルダ用保持部１２０Ｘの収容室１２９Ｘ内に回折格子１０Ｘならびに第二ホルダ２６を備える第一ホルダ２０が精度よく弾性保持されて備えられる。【０２１８】
また、回折格子ならびにホルダ用ばね３０のばね基板部３３の正面視左右両側部３３Ｌ，３３Ｒに略台形状に突出された一対の突出部３６，３７が設けられることで、ハウジング１１０Ｘの回折格子ならびにホルダ用保持部１２０Ｘの収容室１２９Ｘ内に回折格子ならびにホルダ用ばね３０が装着されるときの左右方向ＤＬＲに略沿った位置出しいわゆる横位置出しが可能で、且つ、回折格子１０Ｘの略中央境界線部１６ｘいわゆる略中央分割線１６ｘの位置調整により、回折格子１０Ｘならびに第二ホルダ２６を備える第一ホルダ２０が初期取付位置から左右方向ＤＬＲに略沿って動かされた際の回折格子ならびにホルダ用ばね３０の横ずれ発生が防止される。従って、結果的に常に回折格子１０Ｘならびに第二ホルダ２６を備える第一ホルダ２０と回折格子ならびにホルダ用ばね３０との接触位置が安定する。また、これに伴って、回折格子１０Ｘの取付構造において、初期性能の安定性が改善され、熱衝撃試験等における信頼性評価等においても回折格子１０Ｘの位相ずれが改善される。【０２１９】
また、回折格子ならびにホルダ用ばね３０の突出部３６，３７の突出形状については、ハウジング１１０Ｘの回折格子ならびにホルダ用保持部１２０Ｘに対する回折格子ならびにホルダ用ばね３０及び／又は回折格子１０Ｘならびに第二ホルダ２６を備える第一ホルダ２０の装着時および修理時の着脱を考慮し、回折格子ならびにホルダ用ばね３０を構成するばね基板部３３の正面視左右両側部３３Ｌ／３３Ｒの突出部３６／３７に、正面視左右／上下一対の緩やかなテーパ面部３６ａ，３６ｂ／３７ａ，３７ｂを形成させて、突出部３６／３７を略テーパ形状にして、ハウジング１１０Ｘの回折格子ならびにホルダ用保持部１２０Ｘに対し、回折格子ならびにホルダ用ばね３０を着脱自在に容易に装着可能とさせている。【０２２０】
また、回折格子ならびにホルダ用ばね３０を構成するばね基板部３３の正面視左右両側部３３Ｌ／３３Ｒの突出部３６／３７に、正面視左右／上下一対の緩やかなテーパ面部３６ａ，３６ｂ／３７ａ，３７ｂを形成させて、例えば略テーパ形状をした突出部３６／３７いわゆるテーパ部を回折格子ならびにホルダ用ばね３０を構成するばね基板部３３の正面視左右両側部３３Ｌ／３３Ｒに設けることで、ハウジング１１０Ｘの回折格子ならびにホルダ用保持部１２０Ｘに回折格子ならびにホルダ用ばね３０を装着するときに、樹脂製いわゆるプラスチック製ハウジング１１０Ｘの回折格子ならびにホルダ用保持部１２０Ｘに金属製ばね３０が食い込むこととなり、ハウジング１１０Ｘの回折格子ならびにホルダ用保持部１２０Ｘに対する回折格子ならびにホルダ用ばね３０の位置ずれ防止効果も期待される。【０２２１】
回折格子１０Ｘならびに第二ホルダ２６を備える第一ホルダ２０の取付位置が調整されて、ハウジング１１０Ｘの回折格子ならびにホルダ用保持部１２０Ｘの収容室１２９Ｘ内に精度よく回折格子１０Ｘならびに第二ホルダ２６を備える第一ホルダ２０が装備されたのちに、例えば、接合部材／接着剤２００が用いられて、ハウジング１１０Ｘの回折格子ならびにホルダ用保持部１２０Ｘの収容室１２９Ｘ内に回折格子ならびにホルダ用保持部１２０Ｘ及び／又は回折格子ならびにホルダ用ばね３０が確実に固定される。【０２２２】
接合部材／接着剤２００の塗布・固着前までは、回折格子ならびにホルダ用ばね３０及び／又は回折格子１０Ｘならびに第二ホルダ２６を備える第一ホルダ２０は、ハウジング１１０Ｘの回折格子ならびにホルダ用保持部１２０Ｘに着脱自在に装備されるが、接合部材／接着剤２００の塗布・固着後は、回折格子ならびにホルダ用ばね３０及び／又は回折格子１０Ｘならびに第二ホルダ２６を備える第一ホルダ２０は、ハウジング１１０Ｘの回折格子ならびにホルダ用保持部１２０Ｘに着脱不能に装備される。【０２２３】
回折格子１０Ｘについて詳しく説明すると、回折格子１０Ｘの回折面部１０ａｘは、第一レーザ波長光を少なくとも一本の第一メインビームと二本の第一サブビームとに分ける回折面部１０ａｘと、第二レーザ波長光を少なくとも一本の第二メインビームと二本の第二サブビームとに分ける回折面部１０ａｘと、を兼ねて、複数種類のレーザ波長光の回折に対応する一つの面部１０ａｘとして形成されている。回折格子１０Ｘの回折面部１０ａｘは、微細な凹凸状の繰返し周期構造を有する。回折格子１０Ｘを構成する回折面部１０ａｘの反対側の裏面部１０ｂｘに微細な凹凸状の繰返し周期構造が形成されることなく、回折面部１０ａｘの反対側の裏面部１０ｂｘは、例えば平滑面部１０ｂｘとして形成されている。【０２２４】
このように回折格子１０Ｘの回折面部１０ａｘが形成されていれば、回折格子１０Ｘにおける不要な回折光の発生が抑えられるとともにレーザ光の効率の低下が防止され、更に価格を低く抑えることが可能なＯＰＵ１００Ｘが構成される。【０２２５】
回折格子１０Ｘの回折面部１０ａｘが、第一レーザ波長光を少なくとも一本の第一メインビームと二本の第一サブビームとに分ける回折面部１０ａｘと、第二レーザ波長光を少なくとも一本の第二メインビームと二本の第二サブビームとに分ける回折面部１０ａｘと、を兼ねて複数種類のレーザ波長光の回折に対応する一つの面部１０ａｘとして形成されていれば、第一レーザ波長光の第一メインビームおよび第一サブビームが不要に回折されて第一レーザ波長光の第一メインビームおよび第一サブビームの光の効率が低下されたり、第二レーザ波長光が不要に回折されて第二レーザ波長光の光の効率が低下されたりするということは回避される。【０２２６】
また、第一レーザ波長光を少なくとも一本の第一メインビームと二本の第一サブビームとに分ける回折面部１０ａｘと、第二レーザ波長光を少なくとも一本の第二メインビームと二本の第二サブビームとに分ける回折面部１０ａｘと、を兼ねて複数種類のレーザ波長光の回折に対応する一つの面部１０ａｘとして回折格子１０Ｘの回折面部１０ａｘが形成されているので、加工部分、加工工数等が減らされた回折格子１０Ｘが構成される。回折格子１０Ｘの加工部分、加工工数等が減らされるので、回折格子１０Ｘの価格が低く抑えられる。これに伴って、価格を低く抑えることが可能とされたＯＰＵ１００Ｘを構成させることが可能となる。【０２２７】
上記回折格子１０と同じく、回折格子１０Ｘに、ＬＤから出射されるレーザ光の一部にπラジアンの位相シフトを発生させる位相シフト領域部１１ｘ，１４ｘが設けられている。回折格子１０Ｘは、略長方形状の第一領域部１１ｘと、第一領域部１１ｘに隣接する略線状の第二領域部１２ｘと、第二領域部１２ｘに隣接する略線状の第三領域部１３ｘと、第三領域部１３ｘに隣接する略長方形状の第四領域部１４ｘとの少なくとも四つの領域部１１ｘ，１２ｘ，１３ｘ，１４ｘに分けられている。回折格子１０Ｘは、複数の領域部１１ｘ，１２ｘ，１３ｘ，１４ｘに分けられている。各領域部１１ｘ，１２ｘ，１３ｘ，１４ｘ内で所定の周期構造が構成されている。【０２２８】
第二領域部１２ｘの位相状態と、第三領域部１３ｘの位相状態とが分かり易くされるために、便宜上、第二領域部１２ｘおよび第三領域部１３ｘは、ある程度の幅をもたせて描かれている。実際には、回折格子１０Ｘの第二領域部１２ｘおよび回折格子１０Ｘの第三領域部１３ｘは、例えば幅１０ｗが２０〜２００μｍ程度の細い線形状とされる。また、回折格子１０Ｘを構成する各領域部１１ｘ，１２ｘ，１３ｘ，１４ｘの周期構造は、微細な凹凸状の繰返し周期構造とされている。また、回折格子１０Ｘは、例えば略３〜１０ｍｍ角の縦横寸法をした厚み略０．３〜５ｍｍのガラス板またはプラスチック板とされている。【０２２９】
複数の領域部１１ｘ，１２ｘ，１３ｘ，１４ｘに分けられた回折格子１０Ｘが構成されていれば、メディアＭの信号面部Ｍａに対するＯＰＵ１００Ｘのエラー信号の検出は、良好に行われ易くなる。例えば、メディアＭの信号面部Ｍａに対するＯＰＵ１００Ｘのトラッキングは、良好に行われ易くなる。回折格子１０Ｘが複数の領域部１１ｘ，１２ｘ，１３ｘ，１４ｘに分けられて構成されることにより、メディアＭの信号面部Ｍａに、各々独立した少なくとも三個の集光スポットが照射される。メディアＭの信号面部Ｍａに、少なくとも三個の集光スポットが各々独立して照射されるので、トラックピッチが異なる二種類以上のメディアＭの記録／再生時等に、トラッキングエラー信号等のエラー信号の検出精度が低下するということは回避され易くなる。従って、トラッキング制御が行われ易いＯＰＵ１００Ｘの提供が可能となる。【０２３０】
回折格子１０Ｘは、偶数の領域部１１ｘ，１２ｘ，１３ｘ，１４ｘに分けられている。【０２３１】
偶数の領域部１１ｘ，１２ｘ，１３ｘ，１４ｘに分けられた回折格子１０Ｘが構成されていれば、メディアＭの信号面部Ｍａに形成される集光スポットは、精度のよい集光スポットとして形成される。例えば、回折格子１０Ｘの第二領域部１２ｘと、第二領域部１２ｘに隣接する第三領域部１３ｘとの境界線部１６ｘによって、第一領域部１１ｘおよび第一領域部１１ｘに隣接する第二領域部１２ｘを備える一方の領域部１８ｘと、第三領域部１３ｘおよび第三領域部１３ｘに隣接する第四領域部１４ｘを備える他方の領域部１９ｘと、に回折格子１０Ｘが少なくとも二等分されて偶数分割されているので、ＯＰＵ１００Ｘに回折格子１０Ｘが装備されるときに、回折格子１０Ｘに当てられる光は、回折格子１０Ｘの一方の領域部１８ｘと、回折格子１０Ｘの他方の領域部１９ｘとに、略二等分された状態に当てられ易くなる。回折格子１０Ｘの一方の領域部１８ｘと、回折格子１０Ｘの他方の領域部１９ｘとに、光が略二等分とされた状態に当てられ易くなることにより、回折格子１０Ｘは、ＯＰＵ１００Ｘに精度よく備えられ易くなる。従って、メディアＭの信号面部Ｍａに精度よく集光スポットが形成され易くなる。これに伴って、トラックピッチが異なる二種類以上のメディアＭの記録／再生時等におけるトラッキングエラー信号等のエラー信号の検出精度が向上する。また、メディアＭの信号面部Ｍａに対するＯＰＵ１００Ｘのトラッキングは、精度よく行われ易くなる。【０２３２】
回折格子１０Ｘは、第一領域部１１ｘと、第一領域部１１ｘに隣接し第一領域部１１ｘの周期構造に対し異なる周期構造を有する第二領域部１２ｘと、第二領域部１２ｘに隣接し第二領域部１２ｘの周期構造に対し異なる周期構造を有する第三領域部１３ｘと、第三領域部１３ｘに隣接し第三領域部１３ｘの周期構造に対し異なる周期構造を有する第四領域部１４ｘと、の少なくとも四つの領域部１１ｘ，１２ｘ，１３ｘ，１４ｘに分けられている。回折格子１０Ｘは、いわゆる四分割型・インライン・グレーティングとして構成されている。【０２３３】
複数の領域部１１ｘ，１２ｘ，１３ｘ，１４ｘに分割された回折格子１０ＸがＯＰＵ１００Ｘに装備されていれば、メディアＭの信号面部Ｍａに対するＯＰＵ１００Ｘのエラー信号の検出は、良好に行われる。例えば、メディアＭの信号面部Ｍａに対するＯＰＵ１００Ｘのトラッキングは、良好に行われる。回折格子１０Ｘが四つの領域部１１ｘ，１２ｘ，１３ｘ，１４ｘに分けられて構成されることにより、メディアＭの信号面部Ｍａに、各々独立した少なくとも三個の集光スポットが照射される。メディアＭの信号面部Ｍａに、少なくとも三個の集光スポットが各々独立して照射されるので、トラックピッチが異なる二種類以上のメディアＭにデータ記録等が行われるときや、トラックピッチが異なる二種類以上のメディアＭのデータ再生が行われるときに、例えばＯＢＬ１３３（図１０）の変位に伴って、トラッキングエラー信号等のエラー信号の検出精度が低下するということは回避される。従って、トラッキング制御が行われ易いＯＰＵ１００Ｘの提供が可能となる。【０２３４】
回折格子１０Ｘは、第一領域部１１ｘおよび第一領域部１１ｘに隣接する第二領域部１２ｘを備える略長方形状の一方の領域部１８ｘと、第三領域部１３ｘおよび第三領域部１３ｘに隣接する第四領域部１４ｘを備える略長方形状の他方の領域部１９ｘとを有するものとされる。回折格子１０Ｘの第一領域部１１ｘの幅１１ｗと、第四領域部１４ｘの幅１４ｗとは、略等しい幅とされている。また、回折格子１０Ｘの第二領域部１２ｘの幅１２ｗと、第三領域部１３ｘの幅１３ｗとは、略等しい幅とされている。回折格子１０Ｘの第二領域部１２ｘと、この第二領域部１２ｘに隣接する回折格子１０Ｘの第三領域部１３ｘとの境界線部１６ｘにより、回折格子１０Ｘは、回折格子１０Ｘを構成する一方の領域部１８ｘと、回折格子１０Ｘを構成する他方の領域部１９ｘとに二等分される。回折格子１０Ｘは、偶数分割されている。【０２３５】
これにより、メディアＭの信号面部Ｍａに形成される集光スポットは、精度のよい集光スポットとして形成される。偶数分割された回折格子１０Ｘの第二領域部１２ｘと、第二領域部１２ｘに隣接する第三領域部１３ｘとの境界線部１６ｘによって、第一領域部１１ｘおよび第一領域部１１ｘに隣接する第二領域部１２ｘを備える一方の領域部１８ｘと、第三領域部１３ｘおよび第三領域部１３ｘに隣接する第四領域部１４ｘを備える他方の領域部１９ｘとに回折格子１０Ｘが二等分されるので、ＯＰＵ１００Ｘのハウジング１１０Ｘに回折格子１０Ｘならびに第二ホルダ２６を備える第一ホルダ２０が装備されるときに、ＬＤから出射され回折格子１０Ｘに当てられたレーザ光は、例えば不図示の光軸調整用カメラなどにより、容易に光軸調整される。ＬＤから出射され回折格子１０Ｘに当てられたのちにＯＢＬ１３３を透過したレーザ光は、例えば光軸調整用カメラなどが用いられて観察可能とされる。【０２３６】
四分割型回折格子１０Ｘにおいては、回折格子１０Ｘの略中央を二等分させて、略長方形状の一方の領域部１８ｘと、略長方形状の他方の領域部１９ｘとを構成させる境界線部１６ｘが回折格子１０Ｘに設けられているので、光軸調整用カメラなどが用いられてレーザ光の光軸調整が行われるときに、レーザ光は、回折格子１０Ｘを構成する略長方形状の一方の領域部１８ｘと、回折格子１０Ｘを構成する略長方形状の他方の領域部１９ｘとに、略二等分された状態に当てられ易くなる。【０２３７】
回折格子１０Ｘを構成する略長方形状の一方の領域部１８ｘと、回折格子１０Ｘを構成する略長方形状の他方の領域部１９ｘとに、レーザ光が略二等分とされた状態に当てられ易くなることにより、回折格子１０Ｘならびに第二ホルダ２６を備える第一ホルダ２０は、ＯＰＵ１００Ｘのハウジング１１０Ｘに精度よく位置決め調整されつつ備えられ易くなる。従って、メディアＭの信号面部Ｍａに精度よく集光スポットが形成され易くなる。これに伴って、メディアＭの信号面部Ｍａに対するＯＰＵ１００Ｘのトラッキングは、精度よく行われ易くなる。【０２３８】
略矩形箱状をした第一ホルダ２０の略矩形箱状をした収容室２４内に略矩形板状をした回折格子１０Ｘを装備させ、次に、第一ホルダ２０の回折格子用収容室２４に続く一対の略半円窪み状をした接着剤収容室２４ａ，２４ｂ内に電子線硬化型接着剤２００の一種とされる紫外線硬化型接着剤２００を塗布させ、その後、電子線硬化型接着剤２００の一種とされる紫外線硬化型接着剤２００に、電子線の一種とされる紫外線を照射させて接着剤２００を固化させる。これにより、第一ホルダ２０に回折格子１０Ｘが接着・固定される。【０２３９】
次に、略矩形板状をした回折格子１０Ｘを備える略矩形箱状をした第一ホルダ２０の略円筒状をしたはめ合せ部２５に、略矩形板状をした第二ホルダ２６の略丸孔状をしたはめ合せ部２７に合わせ、回折格子１０Ｘを備える第一ホルダ２０に第二ホルダ２６を装備させる。これにより、第二ホルダ２６に回折格子１０Ｘを備える第一ホルダ２０が回動可能に装備される。【０２４０】
次に、ハウジング１１０Ｘの回折格子ならびにホルダ用保持部１２０Ｘの収容室１２９Ｘ内に、第二ホルダ２６ならびに回折格子１０Ｘを備える第一ホルダ２０と、回折格子ならびにホルダ用ばね３０と、を装備させる。【０２４１】
次に、第二ホルダ２６ならびに回折格子１０Ｘを備える第一ホルダ２０の取付位置を調整させた後に、第一ホルダ２０の一対の略傾斜状をした左右下端面部２１，２２と、回折格子ならびにホルダ用保持部１２０Ｘの一対の左右端面部１２１Ｘ，１２２Ｘと、に、電子線硬化型接着剤２００の一種とされる紫外線硬化型接着剤２００を塗布させ、また、第一ホルダ２０の下端略中央部２３と、第二ホルダ２６の下端略中央部２８と、に、電子線硬化型接着剤２００の一種とされる紫外線硬化型接着剤２００を塗布させ、その後、電子線硬化型接着剤２００の一種とされる紫外線硬化型接着剤２００に、電子線の一種とされる紫外線を照射させて接着剤２００を固化させる。これにより、ハウジング１１０Ｘの回折格子ならびにホルダ用保持部１２０Ｘの収容室１２９Ｘ内に、回折格子１０Ｘならびに第二ホルダ２６を備える第一ホルダ２０と、回折格子ならびにホルダ用ばね３０と、が、精度よく弾性保持／固定される。【０２４２】
この光ディスク装置は、例えばノート型ＰＣ用のＯＰＵ１００Ｘを備える光ディスク装置とされる。なお、ここではノート型ＰＣ用ＯＰＵ１００Ｘが備えられるノート型ＰＣ用光ディスク装置等についての詳細な説明を省略する。【０２４３】
以下に第一の実施形態ならびに第二の実施形態に共通するものを纏めて説明すると、例えば、射出成形が可能であって透明もしくは半透明状または用途等により着色された熱可塑性の耐熱性合成樹脂材料が用いられて、射出成形法に基づき上記回折格子１０，１０Ｘ、ホルダ２０，２６、ＯＢＬ１３１，１３２，１３３等が形成される。詳しく説明すると、回折格子１０，１０Ｘ、ホルダ２０，２６、ＯＢＬ１３１，１３２，１３３等は、例えば、耐候性、鏡面平滑性、精度などに優れ、透明度の高いアクリル／メタクリル系樹脂を基材とした組成物が用いられて、射出成形法に基づき形成される。メタクリル樹脂の正式名称は、ポリメチルメタクリレート（ｐｏｌｙｍｅｔｈｙｌ  ｍｅｔｈａｃｒｙｌａｔｅ）であり、ポリメチルメタクリレートは例えばＰＭＭＡと略称される。また、メタクリル樹脂は、アクリル樹脂と呼ばれることもある。また、回折格子１０，１０Ｘ、ホルダ２０，２６、ＯＢＬ１３１，１３２，１３３等は、例えば、加工性などに優れ、価格低減化が図られるポリカーボネート（ＰＣ：ｐｏｌｙ  ｃａｒｂｏｎａｔｅ）系樹脂を基材とした組成物が用いられて形成される。【０２４４】
例えば、合成樹脂材料が用いられて回折格子１０，１０Ｘ、ホルダ２０，２６、ＯＢＬ１３１，１３２，１３３等が形成されることにより、回折格子１０，１０Ｘ、ホルダ２０，２６、ＯＢＬ１３１，１３２，１３３等の軽量化が図られる。また、合成樹脂製回折格子１０，１０Ｘ、ホルダ２０，２６、ＯＢＬ１３１，１３２，１３３等は、射出成形法に基づいて効率よく大量生産される。回折格子１０，１０Ｘ、ホルダ２０，２６、ＯＢＬ１３１，１３２，１３３等の大量生産が可能となることにより、回折格子１０，１０Ｘ、ホルダ２０，２６、ＯＢＬ１３１，１３２，１３３等の価格低減化が図られる。【０２４５】
例えば、射出成形が可能とされ、熱可塑性的な性質を備え持つ合成重合体として、アクリロニトリル・ブタジエン・スチレン（ＡＢＳ：Ａｃｒｙｌｏｎｉｔｒｉｌｅ  ｂｕｔａｄｉｅｎｅ  ｓｔｙｒｅｎｅ）、ポリブチレンテレフタレート（ＰＢＴ：Ｐｏｌｙ  ｂｕｔｙｌｅｎｅ  ｔｅｒｅｐｈｔｈａｌａｔｅ）、ポリアミド（ＰＡ：ｐｏｌｙ  ａｍｉｄｅ）、ポリプロピレン（ＰＰ：ｐｏｌｙ  ｐｒｏｐｙｌｅｎｅ）、ポリオキシメチレン（ＰＯＭ：ｐｏｌｙ  ｏｘｙ  ｍｅｔｈｙｌｅｎｅ）、ポリカーボネート（ＰＣ：ｐｏｌｙ  ｃａｒｂｏｎａｔｅ）、ＰＭＭＡ、液晶ポリマ（ＬＣＰ：ｌｉｑｕｉｄ  ｃｒｙｓｔａｌ  ｐｏｌｙｍｅｒ）、ＰＰＳ等のＰＡＳ、ポリエーテルエーテルケトン（ＰＥＥＫ（登録商標）：ｐｏｌｙ  ｅｔｈｅｒ  ｅｔｈｅｒ  ｋｅｔｏｎｅ）、ポリアリールエーテルケトン（ＰＥＡＫ：ｐｏｌｙ  ａｒｙｌ  ｅｔｈｅｒ  ｋｅｔｏｎｅ）等のケトン系樹脂などが挙げられる。ホルダ２０，２６等は、例えば、ＡＢＳ、ＰＢＴ、ＰＰ、ＰＯＭ、ＰＣ、ＰＭＭＡ、ＬＣＰ、ＰＰＳ、ＰＡＳ、ＰＥＥＫ、ＰＥＡＫからなる群から選ばれる樹脂組成物のうちの少なくとも一種の樹脂組成物が用いられて形成される。【０２４６】
また、上記ＯＰＵ１００，ＯＰＵ１００Ｘは、例えば、コンピュータ、音響／映像機器、ゲーム機、車載機（何れも図示せず）などに組み付けられる光ディスク装置１に装備される。また、上記ＯＰＵ１００，ＯＰＵ１００Ｘ、並びに上記ＯＰＵ１００，ＯＰＵ１００Ｘを備える光ディスク装置は、例えば、ノート型パーソナルコンピュータＰＣ、ラップトップ型ＰＣ、デスクトップ型ＰＣ、車載用コンピュータなどのコンピュータ、コンピュータゲーム機などのゲーム機、ＣＤプレーヤ／ＣＤレコーダ、ＤＶＤプレーヤ／ＤＶＤレコーダ、「Ｂｌｕ−ｒａｙ／Ｂｌｕ−ｒａｙ  Ｄｉｓｃ」用プレーヤ／「Ｂｌｕ−ｒａｙ／Ｂｌｕ−ｒａｙ  Ｄｉｓｃ」用レコーダなどの音響および／または映像機器等に装備可能とされている（何れも図示せず）。また、上記ＯＰＵ１００，ＯＰＵ１００Ｘは、「ＣＤ」系光ディスク、「ＤＶＤ」系光ディスク、「ＨＤ  ＤＶＤ」系光ディスク、「ＣＢＨＤ」系光ディスク、「Ｂｌｕ−ｒａｙ／Ｂｌｕ−ｒａｙ  Ｄｉｓｃ」系光ディスク等の複数のディスクに対応可能なものとされる。また、上記ＯＰＵ１００，ＯＰＵ１００Ｘは、複数層の信号面部を有する一枚の光ディスクに対応可能なものとされている。上記ＯＰＵ１００，ＯＰＵ１００Ｘは、例えば、「ＣＤ」、「ＤＶＤ」、「ＨＤ  ＤＶＤ」、「ＣＢＨＤ」、「Ｂｌｕ−ｒａｙ／Ｂｌｕ−ｒａｙ  Ｄｉｓｃ」などの各種光ディスクに対応したコンピュータ、音響および／または映像機器、ゲーム機、車載機などに装備可能とされている（何れも図示せず）。【０２４７】
以上、本発明の実施形態について説明したが、前述した実施形態は、本発明の理解を容易にするためのものであり、本発明を限定して解釈するためのものではない。本発明は、その趣旨を逸脱することなく、変更／改良され得るとともに、その等価物も含まれる。【０２４８】
例えば、図６に示す回折格子１０の回折面部１０ａに微細な凹凸状の繰返し周期構造が形成されると共に、回折格子１０を構成する回折面部１０ａの反対側の裏面部も微細な凹凸状の繰返し周期構造が形成された回折格子１０も使用可能とされる。また、例えば、四つの領域部１１，１２，１３，１４を備えた四分割タイプの回折格子１０，１０Ｘに代えて、他の形態をした単純領域部を備える単純タイプの回折格子（図示せず）が用いられてもよい。また、例えば、四つの領域部１１，１２，１３，１４を備えた四分割タイプの回折格子１０，１０Ｘに代えて、他の形態をした二つの領域部を備える二分割タイプの回折格子（図示せず）が用いられてもよい。また、例えば、四つの領域部１１，１２，１３，１４を備えた四分割タイプの回折格子１０，１０Ｘに代えて、他の形態をした三つの領域部を備える三分割タイプの回折格子（図示せず）が用いられてもよい。また、例えば、四つの領域部１１，１２，１３，１４を備えた四分割タイプの回折格子１０，１０Ｘに代えて、他の形態をした四つの領域部を備える四分割タイプの回折格子（図示せず）が用いられてもよい。このように、両面回折面タイプの回折格子、単純タイプの回折格子、各種複数の領域部を備える複数分割タイプの回折格子が使用可能とされている。【０２４９】
また、例えば、図１１〜図１３に示す回折格子１０Ｘの回折面部１０ａｘに微細な凹凸状の繰返し周期構造が形成されると共に、回折格子１０Ｘを構成する回折面部１０ａｘの反対側の裏面部１０ｂｘも微細な凹凸状の繰返し周期構造が形成された回折格子１０Ｘも使用可能とされる。また、例えば、四つの領域部１１ｘ，１２ｘ，１３ｘ，１４ｘを備えた四分割タイプの回折格子１０Ｘに代えて、他の形態をした単純領域部を備える単純タイプの回折格子（図示せず）が用いられてもよい。また、例えば、四つの領域部１１ｘ，１２ｘ，１３ｘ，１４ｘを備えた四分割タイプの回折格子１０Ｘに代えて、他の形態をした二つの領域部を備える二分割タイプの回折格子（図示せず）が用いられてもよい。また、例えば、四つの領域部１１ｘ，１２ｘ，１３ｘ，１４ｘを備えた四分割タイプの回折格子１０Ｘに代えて、他の形態をした三つの領域部を備える三分割タイプの回折格子（図示せず）が用いられてもよい。また、例えば、四つの領域部１１ｘ，１２ｘ，１３ｘ，１４ｘを備えた四分割タイプの回折格子１０Ｘに代えて、他の形態をした四つの領域部を備える四分割タイプの回折格子（図示せず）が用いられてもよい。このように、両面回折面タイプの回折格子、単純タイプの回折格子、各種複数の領域部を備える複数分割タイプの回折格子が使用可能とされている。【０２５０】
また、例えば、射出成形法等に基づいて、図１１〜図１４に示す樹脂製の第一ホルダ２０に樹脂製の回折格子部が一体成形されて、樹脂製の回折格子部等の光学素子部を有するホルダ等の保持部材が一体形成されてもよい。この場合、回折格子１０Ｘに代えて、例えば略矩形板状をした１／２波長板等の他の光学素子が樹脂製の回折格子部等の光学素子部を有するホルダ等の保持部材に装備される。【０２５１】
また、第一の実施形態ならびに第二の実施形態に共通して、例えば、第一のレーザ光は、波長略６６０ｎｍ（第一の波長）の「ＤＶＤ」規格の赤色レーザ光であり、第二のレーザ光は、波長略４０５ｎｍ（第二の波長）の「ＨＤ  ＤＶＤ」規格、「ＣＢＨＤ」規格、又は「Ｂｌｕ−ｒａｙ／Ｂｌｕ−ｒａｙ  Ｄｉｓｃ」規格等の青紫色レーザ光でもよい。なお、この場合、回折格子１０，１０Ｘは、「ＨＤ  ＤＶＤ」、「ＣＢＨＤ」、又は「Ｂｌｕ−ｒａｙ／Ｂｌｕ−ｒａｙ  Ｄｉｓｃ」規格等の波長に応じた格子間隔を具備した回折格子部材のみで構成される。
【産業上の利用可能性】
【０２５２】
本発明は、例えば、「ＣＤ」（Ｃｏｍｐａｃｔ  Ｄｉｓｃ）（商標）、「ＤＶＤ」（登録商標）（Ｄｉｇｉｔａｌ  Ｖｅｒｓａｔｉｌｅ  Ｄｉｓｃ）、「ＨＤ  ＤＶＤ」（Ｈｉｇｈ  Ｄｅｆｉｎｉｔｉｏｎ  ＤＶＤ）（登録商標）、「ＣＢＨＤ（Ｃｈｉｎａ  Ｂｌｕｅ  Ｈｉｇｈ−Ｄｅｆｉｎｉｔｉｏｎ）」（例：旧名「ＣＨ−ＤＶＤ」）、「Ｂｌｕ−ｒａｙ／Ｂｌｕ−ｒａｙ  Ｄｉｓｃ」（登録商標）等として挙げられる各種光ディスク等の各種メディアに記録されたデータ、情報、信号等を再生させたり、書込み可能もしくは書換え可能な各種光ディスク等の各種メディアにデータ、情報、信号等を記録させたり、書込み可能もしくは書換え可能な各種光ディスク等の各種メディアに記録されたデータ、情報、信号等を消去させたりすることが可能なピックアップ装置、ディスク装置、並びにこれらに備えられる弾性部材、光学素子の取付構造に適用可能とされるものである。
【符号の説明】
【０２５３】
１０，１０Ｘ        回折格子（光学素子）
３０                ばね（弾性部材）
３１，３２          当接力発生部（撓み片）
３３                ばね基板部（弾性部材基板部）
３３Ｌ，３３Ｒ      側部
３６，３７          突出部（圧入固定部）
３６ａ，３６ｂ，３７ａ，３７ｂ  テーパ面部（傾斜面部）
１００，１００Ｘ    ＯＰＵ（ピックアップ装置）
１２０              ホルダ（保持部）
１２０Ｘ            保持部
【図１】
2011040573.tif 000003
【図２】
2011040573.tif 000004
【図３】
2011040573.tif 000005
【図４】
2011040573.tif 000006
【図５】
2011040573.tif 000007
【図６】
2011040573.tif 000008
【図７】
2011040573.tif 000009
【図８】
2011040573.tif 000010
【図９】
2011040573.tif 000011
【図１０】
2011040573.tif 000012
【図１１】
2011040573.tif 000013
【図１２】
2011040573.tif 000014
【図１３】
2011040573.tif 000015
【図１４】
2011040573.tif 000016
【図１５】
2011040573.tif 000017
【図１６】
2011040573.tif 000018
【図１７】
2011040573.tif 000019
【国際調査報告】
2011040573.tif 000020
2011040573.tif 000021
2011040573.tif 000022
2011040573.tif 000023